(57)【特許請求の範囲】
【請求項１】
通信に係る情報を送信する送信装置と、該送信装置から送信されてくる前記情報を所定の時間間隔で受信する電話装置とを備えた通信システムにおいて、
前記送信装置を介して前記電話装置と通信が可能な通信装置と、
該通信装置と通信が可能な中継装置とを備え、
前記通信装置は、
自身の近傍における人の有無を検出する人検出手段と、
該人検出手段によって人がいることが検出された場合、前記送信装置から送信されてくる情報の受信間隔を前記所定の時間間隔よりも長い間隔に変更させる指示を前記送信装置を介して前記電話装置へ送信する手段と、
前記人検出手段によって人がいないことが検出された場合、前記送信装置から送信されてくる情報の受信間隔を前記所定の時間間隔に戻す指示を前記送信装置を介して前記電話装置へ送信する手段とを備え、
前記電話装置は、
前記所定の時間間隔よりも長い間隔に変更させる指示を受信した場合、前記送信装置から送信されてくる情報の受信間隔を前記長い間隔に変更する手段と、
前記所定の時間間隔に戻す指示を受信した場合、前記送信装置から送信されてくる情報の受信間隔を前記所定の時間間隔に戻す手段とを備え、
前記中継装置は、
電話装置を識別する電話装置情報及び各電話装置に対して予め設定された通信装置を識別する通信装置情報を対応付けて登録してあるテーブルと、
いずれかの電話装置に対する着信を検知する検知手段と、
該検知手段が着信を検知した場合、着信側の電話装置を検出する検出手段と、
該検出手段が検出した着信側の電話装置に対応する通信装置情報を前記テーブルから取得する取得手段と、
該取得手段が取得した通信装置情報が示す通信装置へ、前記着信側の電話装置に対する着信がある旨を通知する通知手段とを備え、
前記通信装置は、前記着信側の電話装置に対する着信がある旨を通知された場合、その旨を出力する手段を備える
ことを特徴とする通信システム。
【請求項２】
通信に係る情報を送信する送信装置と、該送信装置から送信されてくる前記情報を所定の時間間隔で受信する電話装置とを備えた通信システムにおいて、
前記送信装置を介して前記電話装置と通信が可能な第１中継装置と、
該第１中継装置と通信が可能な通信装置並びに第２中継装置とを備え、
該通信装置は、
自身の近傍における人の有無を検出する人検出手段と、
該人検出手段による検出結果を前記第１中継装置へ通知する手段とを備え、
前記第１中継装置は、
前記通信装置から人がいることを通知された場合、前記送信装置から送信されてくる情報の受信間隔を前記所定の時間間隔よりも長い間隔に変更させる指示を前記送信装置を介して前記電話装置へ送信する手段と、
前記通信装置から人がいないことを通知された場合、前記送信装置から送信されてくる情報の受信間隔を前記所定の時間間隔に戻す指示を前記送信装置を介して前記電話装置へ送信する手段とを備え、
前記電話装置は、
前記所定の時間間隔よりも長い間隔に変更させる指示を受信した場合、前記送信装置から送信されてくる情報の受信間隔を前記長い間隔に変更する手段と、
前記所定の時間間隔に戻す指示を受信した場合、前記送信装置から送信されてくる情報の受信間隔を前記所定の時間間隔に戻す手段とを備え、
前記第２中継装置は、
いずれかの電話装置に対する着信を検知する検知手段と、
該検知手段が着信を検知した場合、着信側の電話装置を検出する検出手段と、
該検出手段が検出した着信側の電話装置を前記第１中継装置に通知する手段とを備え、
前記第１中継装置は、
電話装置を識別する電話装置情報及び各電話装置に対して予め設定された通信装置を識別する通信装置情報を対応付けて登録してあるテーブルと、
前記第２中継装置から通知された着信側の電話装置に対応する通信装置情報を前記テーブルから取得する取得手段と、
該取得手段が取得した通信装置情報が示す通信装置へ、前記着信側の電話装置に対する着信がある旨を通知する通知手段とを備え、
前記通信装置は、前記着信側の電話装置に対する着信がある旨を通知された場合、その旨を出力する手段を備える
ことを特徴とする通信システム。
【請求項３】
前記通信装置の人検出手段は、前記着信側の電話装置に対する着信がある旨を通知された場合、自身の近傍における人の有無を検出するように構成されており、
前記通信装置は、前記人検出手段によって人がいることが検出された場合、前記着信側の電話装置に対する着信がある旨を出力するように構成されていることを特徴とする請求項１又は２に記載の通信システム。
【請求項４】
前記テーブルには、前記電話装置情報及び通信装置情報に対応付けて、各通信装置の近傍における人の有無を示す人情報が登録してあり、
前記取得手段は、前記着信側の電話装置に対応して前記テーブルに登録してある人情報に基づいて、前記着信側の電話装置に対応する通信装置の近傍に人がいるか否かを判断し、前記通信装置の近傍に人がいると判断した場合、前記着信側の電話装置に対応する通信装置情報を前記テーブルから取得するようにしてある
ことを特徴とする請求項１から３までのいずれかひとつに記載の通信システム。
【発明の詳細な説明】
【技術分野】
【０００１】
本発明は、複数の電話装置が送信装置を介して通信を行なう通信システムに関する。
【背景技術】
【０００２】
VoWLAN（Voice over Wireless Local Area Network）等のＩＰネットワークを介してパケットを送受信することが可能なＩＰ電話機が普及している。ＩＰ電話機は、例えば会社内に構築された社内ＬＡＮに設けられた呼制御サーバ及び無線アクセスポイントと共にＩＰ電話システムを構成する。このようなＩＰ電話システムにおいて、ＩＰ電話機は、無線アクセスポイント及び社内ＬＡＮを介して他のＩＰ電話機との間でパケットの送受信を行なうことができる。また、社内ＬＡＮには、例えばインターネットが接続されており、ＩＰ電話機は、社内ＬＡＮ及びインターネットを介して会社外のＩＰ電話機との間でもパケットの送受信を行なうことができる。
【０００３】
このようなＩＰ電話システムにおいて、社内ＬＡＮを介して会社内のＩＰ電話機から着信があった場合、又は社内ＬＡＮ及びインターネットを介して会社外のＩＰ電話機から着信があった場合、呼制御サーバは、発信者側のＩＰ電話機の電話番号と、着信者側のＩＰ電話機の電話番号とを検出し、着信者側のＩＰ電話機に対して無線アクセスポイントを介して着信がある旨を通知する。これにより、着信者側のＩＰ電話機は着信音を出力することによって所有者に着信があることを通知する。着信者側のＩＰ電話機の所有者が応答した場合、呼制御サーバは、着信者側のＩＰ電話機と発信者側のＩＰ電話機との接続を確立する。これにより、着信者側のＩＰ電話機と発信者側のＩＰ電話機との間で、それぞれのＩＰ電話機の近傍の無線アクセスポイントを介したパケットの送受信が開始される。
【０００４】
ＩＰ電話システムにおける無線アクセスポイントは、自身を識別するための情報及び自身が属するＩＰ電話システムを特定するための情報等、このシステムを介した通信に関する情報を含むビーコン信号（パケット）を、例えば１００ミリ秒毎に送信している。そして、ＩＰ電話機は、無線アクセスポイントから送信されてくるビーコン信号を受信することにより、現在どの無線アクセスポイントを介した通信が可能であるか等を把握している。
【０００５】
なお、無線アクセスポイントは、いずれかのＩＰ電話機に対して着信がある旨を呼制御サーバから通知された場合、そのＩＰ電話機に対して着信がある旨を示す情報をビーコン信号に含めて送信する。また、無線アクセスポイントは、２つのＩＰ電話機間での通話（パケットの送受信）が開始された場合、その通話に関する情報をビーコン信号に含めて送信する。従って、ＩＰ電話機は、無線アクセスポイントから送信されてくるビーコン信号を受信することにより、自身に対して着信があることを検出することができ、他のＩＰ電話機との間でパケットの送受信を行なうことができる。
【０００６】
無線アクセスポイントは、上述したようにビーコン信号を例えば１００ミリ秒毎に送信しているが、各ＩＰ電話機がビーコン信号を受信する間隔は各無線アクセスポイントにおいて設定変更が可能である。具体的には、無線アクセスポイントは、自身が送信する信号の受信可能エリア内のＩＰ電話機が、自身が送信するビーコン信号を受信する間隔を示すＤＴＩＭ（Delivery Traffic Integration Map）情報を記憶しており、このＤＴＩＭ情報をビーコン信号に含めて送信する。
【０００７】
ＩＰ電話機は、最寄りの無線アクセスポイントからビーコン信号を受信した場合、ビーコン信号に含まれるＤＴＩＭ情報が示す受信間隔で無線アクセスポイントから送信されてくるビーコン信号を受信する。また、無線アクセスポイントが記憶するＤＴＩＭ情報は、例えば、無線アクセスポイントと通信が可能に接続されたコンピュータを介して変更することができるので、各ＩＰ電話機がビーコン信号を受信する間隔は変更可能である。
【０００８】
ここで、上述したＩＰ電話システムでは、ＩＰ電話機における消費電力の抑制が望まれており、例えば、ＩＰ電話機によるビーコン信号の受信間隔を延ばすことにより、即ち、ＩＰ電話機によるビーコン信号の受信処理の回数を減らすことにより、ＩＰ電話機の消費電力を低減させることが考えられている。
【０００９】
しかし、無線アクセスポイントから送信されてくるビーコン信号には、各ＩＰ電話機に対して着信がある旨を示す情報も含まれているため、ＩＰ電話機によるビーコン信号の受信間隔を延ばした場合、発信者側のＩＰ電話機による発信のタイミングによっては、発信（発呼）から着信（着呼）までの時間が長くなり、着信に対するレスポンスが悪化し、発信者側のユーザに不快感を与えるおそれがある。従って、着信に対するレスポンスと消費電力の低減（省電力化）とのバランスを考慮する必要がある。
【００１０】
例えば、特許文献１では、通話終了後の所定時間内は新たな着信があると予想されるので着信に対するレスポンスを優先し、無線アクセスポイントからの信号の受信間隔を短くし、通話終了後の所定時間経過後は新たな着信があるとは予想されないので省電力化を優先し、無線アクセスポイントからの信号の受信間隔を長くする装置が提案されている。また、特許文献２では、充電中のように電池の残量を気にする必要がない場合には着信に対するレスポンスを優先し、無線アクセスポイントからの信号の受信間隔を短くする装置が提案されている。
【特許文献１】特開２００５−７９６６０号公報
【特許文献２】特開２００５−５７３９４号公報
【発明の開示】
【発明が解決しようとする課題】
【００１１】
上述したように、特許文献１，２では、無線アクセスポイントからの信号の受信間隔を短くした場合には着信に対するレスポンスの悪化を抑制することができ、無線アクセスポイントからの信号の受信間隔を長くした場合には消費電力を低減することができる。しかし、ＩＰ電話機における更なる省電力化を行なう場合、着信に対するレスポンスが悪化するため省電力化には限界があった。
【００１２】
本発明は斯かる事情に鑑みてなされたものであり、その目的とするところは、送信装置から送信されてくる情報の電話装置による受信間隔を長くすることにより、電話装置における消費電力を更に低減することが可能な通信システムを提供することにある。
【００１３】
本発明の他の目的は、電話装置における消費電力を低減させるために送信装置から送信されてくる情報の電話装置による受信間隔を長くしている場合であっても、着信がある旨を通信装置を介して通知することにより、着信に対するレスポンスの悪化を抑制することが可能な通信システムを提供することにある。
【課題を解決するための手段】
【００１４】
本発明に係る通信システムは、送信装置が通信に係る情報を送信し、送信装置から送信されてくる情報を電話装置が所定の時間間隔で受信する通信システムにおいて、送信装置を介して電話装置と通信が可能な通信装置、及び該通信装置と通信が可能な中継装置を備える。通信装置は、自身の近傍における人の有無を検出し、人がいることが検出された場合、送信装置から送信されてくる情報の受信間隔を前記所定の時間間隔よりも長い間隔に変更させる指示を電話装置へ送信する。また、通信装置は、人がいないことが検出された場合、送信装置から送信されてくる情報の受信間隔を前記所定の時間間隔に戻す指示を電話装置へ送信する。そして、電話装置は、前記所定の時間間隔よりも長い間隔に変更させる指示を受信した場合、送信装置から送信されてくる情報の受信間隔を前記長い間隔に変更し、前記所定の時間間隔に戻す指示を受信した場合、送信装置から送信されてくる情報の受信間隔を前記所定の時間間隔に戻す。よって、通信装置の近傍に人がいる場合には、送信装置から送信されてくる情報の電話装置による受信間隔を長くすることにより、電話装置における消費電力の低減が可能となる。また中継装置は、電話装置を識別する電話装置情報及び各電話装置に対して予め設定された通信装置を識別する通信装置情報を対応付けて登録してあるテーブルを備え、いずれかの電話装置に対する着信を検知した場合、着信側の電話装置に対応する通信装置情報をテーブルから取得し、取得した通信装置情報が示す通信装置へ、前記着信側の電話装置に対する着信がある旨を通知する。着信がある旨を通知された通信装置は、前記着信側の電話装置に対する着信がある旨を出力する。よって、電話装置に対して着信があった場合、電話装置に対して予め登録してある通信装置へその旨を通知することが可能となる。
【００１５】
本発明に係る通信システムは、送信装置が通信に係る情報を送信し、送信装置から送信されてくる情報を電話装置が所定の時間間隔で受信する通信システムにおいて、送信装置を介して電話装置と通信が可能な第１中継装置と、該第１中継装置と通信が可能な通信装置並びに第２中継装置とを備える。通信装置は、自身の近傍における人の有無を検出し、その検出結果を第１中継装置へ通知する。第１中継装置は、通信装置の近傍に人がいることを通知された場合、送信装置から送信されてくる情報の受信間隔を前記所定の時間間隔よりも長い間隔に変更させる指示を電話装置へ送信する。また、第１中継装置は、通信装置の近傍に人がいないことを通知された場合、送信装置から送信されてくる情報の受信間隔を前記所定の時間間隔に戻す指示を電話装置へ送信する。そして、電話装置は、前記所定の時間間隔よりも長い間隔に変更させる指示を受信した場合、送信装置から送信されてくる情報の受信間隔を前記長い間隔に変更し、前記所定の時間間隔に戻す指示を受信した場合、送信装置から送信されてくる情報の受信間隔を前記所定の時間間隔に戻す。よって、通信装置の近傍に人がいる場合には、送信装置から送信されてくる情報の電話装置による受信間隔を長くすることにより、電話装置における消費電力の低減が可能となる。また第２中継装置は、いずれかの電話装置に対する着信を検知した場合、着信側の電話装置を第１中継装置に通知する。第１中継装置は、電話装置を識別する電話装置情報及び各電話装置に対して予め設定された通信装置を識別する通信装置情報を対応付けて登録してあるテーブルを備え、第２中継装置から通知された着信側の電話装置に対応する通信装置情報をテーブルから取得し、取得した通信装置情報が示す通信装置へ、前記着信側の電話装置に対する着信がある旨を通知する。着信がある旨を通知された通信装置は、前記着信側の電話装置に対する着信がある旨を出力する。よって、電話装置に対して着信があった場合、電話装置に対して予め登録してある通信装置へその旨を通知することが可能となる。
【００１７】
本発明に係る通信システムは、通信装置が、電話装置に対する着信がある旨を通知された場合、自身の近傍における人の有無を検出し、人がいる場合にのみ前記電話装置に対する着信がある旨を出力する。よって、通信装置は、電話装置に対する着信がある旨を通知された場合であっても、自身の近傍に人がいない場合にはその旨を出力しない。
【００１８】
本発明に係る通信システムは、電話装置を識別する電話装置情報、各電話装置に対して予め設定された通信装置を識別する通信装置情報、及び該通信装置の近傍における人の有無を示す人情報を対応付けて登録してあるテーブルを備え、いずれかの電話装置に対する着信を検知した場合、着信側の電話装置に対応する通信装置の近傍に人がいるか否かを判断し、人がいる場合にのみ、前記着信側の電話装置に対応する通信装置情報をテーブルから取得し、取得した通信装置情報が示す通信装置へ、前記着信側の電話装置に対する着信がある旨を通知する。着信がある旨を通知された通信装置は、前記着信側の電話装置に対する着信がある旨を出力する。よって、電話装置に対して着信があった場合であっても、電話装置に対して予め登録してある通信装置の近傍に人がいる場合にのみ前記通信装置へその旨を通知することが可能となる。
【００１９】
本発明に係る通信システムは、電話装置が、送信装置から送信されてくる情報の受信指示を受け付けた時点で前記情報を受信する。よって、消費電力を低減するために、送信装置から送信されてくる情報の受信間隔が長い間隔に設定されている場合であっても、電話装置が前記情報を受信できるので、着信に対するレスポンスの悪化を回避することが可能となる。
【００２０】
本発明に係る通信装置は、外部の装置と通信が可能な通信装置において、自身の近傍における人の有無を検出しており、人がいることが検出された場合、外部から送信されてくる情報の受信間隔を第１時間間隔に設定させる指示を外部へ送信し、人がいないことが検出された場合、外部から送信されてくる情報の受信間隔を前記第１時間間隔よりも短い第２時間間隔に設定させる指示を外部へ送信する。
【００２１】
本発明に係る通信装置は、外部の装置と通信が可能な通信装置において、自身の近傍における人の有無を検出しており、人がいることが検出された場合、外部から送信されてくる情報の受信間隔を第１時間間隔に設定させる指示の送信要求を外部へ送信し、人がいないことが検出された場合、外部から送信されてくる情報の受信間隔を前記第１時間間隔よりも短い第２時間間隔に設定させる指示の送信要求を外部へ送信する。
【００２２】
本発明に係る通信装置は、所定の電話装置に対する着信がある旨の通知を受け付けた場合、前記着信側の電話装置に対する着信がある旨を出力する。また本発明に係る通信装置は、電話装置に対する着信がある旨を通知された場合であっても、自身の近傍に人がいない場合にはその旨を出力しない。
【発明の効果】
【００２３】
本発明では、通信装置が自身の近傍における人の有無を検出しており、人がいることを検出した場合、送信装置から送信されてくる情報の電話装置による受信間隔を所定の時間間隔よりも長い間隔に変更させ、人がいないことを検出した場合、送信装置から送信されてくる情報の電話装置による受信間隔を所定の時間間隔に戻させる。よって、通信装置の近傍に人がいる場合には、送信装置からの情報の電話装置による受信間隔を長くすることにより、電話装置における消費電力を低減させることができ、通信装置の近傍に人がいない場合には、送信装置からの情報の電話装置による受信間隔を元の所定の時間間隔に戻すことにより、着信に対するレスポンスの悪化を抑制することができる。また、いずれかの電話装置に対する着信があった場合、この着信側の電話装置に対応して予め登録されている通信装置へ前記着信側の電話装置に対する着信がある旨を通知し、通信装置は前記着信側の電話装置に対する着信がある旨を出力する。よって、電話装置の所有者又は通信装置の近傍にいる人が、通信装置を介して着信があることを確実に知ることができ、着信に対して確実に応答することができる。従って、電話装置における消費電力を低減させるために送信装置からの情報の電話装置による受信間隔を長くしてある場合であっても、電話装置に対する着信がある旨を通信装置を介して知ることができるので着信に対するレスポンスの悪化を回避することができる。
【００２４】
本発明では、通信装置が自身の近傍に人がいることを検出した場合、送信装置から送信されてくる情報の電話装置による受信間隔を所定の時間間隔よりも長い間隔に変更させる指示を第１中継装置が行ない、通信装置が自身の近傍に人がいないことを検出した場合、送信装置から送信されてくる情報の電話装置による受信間隔を所定の時間間隔に戻す指示を第１中継装置が行なう。よって、通信装置の近傍に人がいる場合には、送信装置からの情報の電話装置による受信間隔を長くすることにより、電話装置における消費電力を低減させることができ、通信装置の近傍に人がいない場合には、送信装置からの情報の電話装置による受信間隔を元の所定の時間間隔に戻すことにより、着信に対するレスポンスの悪化を抑制することができると共に、電話装置への各指示の送信を第１中継装置が行なうことにより、通信装置における処理負担を軽減することができる。また、いずれかの電話装置に対する着信があった場合、この着信側の電話装置に対応して予め登録されている通信装置へ前記着信側の電話装置に対する着信がある旨を通知し、通信装置は前記着信側の電話装置に対する着信がある旨を出力する。よって、電話装置の所有者又は通信装置の近傍にいる人が、通信装置を介して着信があることを確実に知ることができ、着信に対して確実に応答することができる。従って、電話装置における消費電力を低減させるために送信装置からの情報の電話装置による受信間隔を長くしてある場合であっても、電話装置に対する着信がある旨を通信装置を介して知ることができるので着信に対するレスポンスの悪化を回避することができる。
【００２６】
本発明では、通信装置は、いずれかの電話装置に対する着信がある旨を通知された場合、自身の近傍に人がいれば前記電話装置に対する着信がある旨を出力することにより、通信装置の近傍にいる人に対して着信がある旨を確実に通知することができる。従って、通信装置を介して着信がある旨を知った電話装置の所有者又は通信装置の近傍にいる人によって、着信に対して確実に応答することができる。また、通信装置の近傍に人がいなければ前記電話装置に対する着信がある旨を出力しないことにより、不要な出力処理の発生を抑制することができる。
【００２７】
本発明では、各電話装置に対して予め設定された通信装置の近傍における人の有無を管理しておき、いずれかの電話装置に対する着信があった場合、この着信側の電話装置に対応する通信装置の近傍に人がいるか否かを判断し、人がいれば前記電話装置に対する着信がある旨を前記通信装置へ通知し、通信装置は前記着信側の電話装置に対する着信がある旨を出力する。よって、通信装置の近傍にいる人に対して着信がある旨を確実に通知することができ、通信装置を介して着信がある旨を知った電話装置の所有者又は通信装置の近傍にいる人によって、着信に対して確実に応答することができる。また、通信装置の近傍に人がいなければ前記電話装置に対する着信がある旨を前記通信装置へ通知しないことにより、不要な通知処理の発生を抑制することができる。
【００２８】
また、通信装置が検出した人の有無に基づいて、各通信装置の近傍における人の有無を逐次更新することにより、通信装置の近傍に人がいるか否かを示す最新の情報に基づいて、電話装置に対する着信がある旨を通信装置を介して通知するか否かを判断することができる。よって、通信装置の近傍に確実に人がいる場合には、この人に対して確実に通知できると共に、通信装置の近傍に確実に人がいない場合には、不要な通知処理を確実に禁止することができる。なお、電話装置に対する着信の検知、着信側の電話装置の検出、着信側の電話装置に対する着信の通知を１つの通知装置で行なった場合、各処理を行なう通知装置の構成が容易となる。
【００２９】
本発明では、電話装置が、送信装置から送信されてくる情報の受信指示を受け付けた時点で前記情報を受信するので、消費電力を低減するために、送信装置から送信されてくる情報の受信間隔が長い間隔に設定されている場合であっても、電話装置側から前記情報を受信し、着信に対して応答できるので、着信に対するレスポンスの悪化を回避することができる。
【００３０】
なお、本発明では、上述したような通信装置の動作を規定したコンピュータプログラムをコンピュータに読み取らせて実行させることにより、上述したような通信装置をコンピュータによって実現することができる。
【発明を実施するための最良の形態】
【００３１】
（実施形態１）
以下に、本発明に係る通信システムをＩＰ電話システムに適用した実施形態１を示す図面に基づいて詳述する。図１は実施形態１に係るＩＰ電話システムの構成例を示す模式図である。本実施形態１のＩＰ電話システム１００は、例えばＶｏＷＬＡＮ等のネットワーク（ＩＰネットワーク）Ｌ、ネットワークＬに接続された呼制御サーバ３、ネットワークＬに接続された複数の無線アクセスポイント（以下、無線ＡＰという）２，２…、ネットワークＬに接続されたコンピュータ４、ネットワークＬ及び無線ＡＰ２，２…を介して他の携帯電話機１との間で通信を行なう携帯電話機（電話装置）１，１…等を含む。
【００３２】
なお、図１には、ネットワークＬに１つのコンピュータ４が接続してある構成を図示しているが、ネットワークＬには複数のコンピュータ４が接続されている。また、本実施形態１では、ネットワークＬを介した通信を行なうことが可能な携帯電話機１を用いる構成について説明するが、ネットワークＬを介した通信だけでなく、例えばＦＯＭＡ網のような公衆電話回線網Ｎを介した通信も行なうことが可能な携帯電話機（ＦＭＣ（Fixed Mobile Convergence）端末）を用いることもできる。
【００３３】
携帯電話機１は、ネットワークＬを介した無線通信が可能であり、最寄りの無線ＡＰ２との間で無線通信を行なう。携帯電話機１が無線ＡＰ２及びネットワークＬを介して他の携帯電話機１に発呼（発信）した場合、呼制御サーバ３が、発信側の携帯電話機１から受信したパケットに基づいて、発信側の携帯電話機１の電話番号と、着信側の携帯電話機１の電話番号とを検出する。そして、呼制御サーバ３は、無線ＡＰ２を介して着信側の携帯電話機１へ、発信側の携帯電話機１からの着信があることを通知するパケットを送信する。
【００３４】
着信側の携帯電話機１は、発信側の携帯電話機１からの着信があることを通知するパケットを無線ＡＰ２を介して呼制御サーバ３から受信した場合、着信音を鳴動させると共に、発信側の携帯電話機１の電話番号を表示部１７（図２参照）に表示させる。これにより、着信側の携帯電話機１は、自身の所有者に着信があることを通知する。着信側の携帯電話機１の所有者は、着信が通知された場合、操作部１６（図２参照）を操作することにより応答する。呼制御サーバ３は、着信側の携帯電話機１からの応答があった場合、発信側の携帯電話機１と着信側の携帯電話機１との接続を確立する。これにより、発信側の携帯電話機１と着信側の携帯電話機１との間で、それぞれ最寄りの無線ＡＰ２，２及びネットワークＬを介した通信が開始される。
【００３５】
なお、図示していないが、ネットワークＬは、インターネットに接続されており、インターネットを介して、インターネットに接続された他のネットワークにも接続されている。従って、携帯電話機１は、インターネットを介して、他のネットワークを介した無線通信を行なう携帯電話機１との間でも通信を行なうことができる。この場合も、呼制御サーバ３は、ネットワークＬ及びインターネットを介して発呼してきた携帯電話機１から受信したパケットに基づいて、発信側の携帯電話機１の電話番号と、着信側の携帯電話機１の電話番号とを検出し、着信側の携帯電話機１へ、発信側の携帯電話機１からの着信があることを通知するパケットを送信する。
【００３６】
なお、携帯電話機１，１…は、自身を中心とした所定範囲内に存在する最寄りの無線ＡＰ２との間で無線通信が可能であり、所定範囲内に無線ＡＰ２が存在しない場合、ネットワークＬの圏外となってネットワークＬを介した通信を行なえない。
【００３７】
図２は実施形態１に係る携帯電話機１の構成例を示すブロック図である。本実施形態１の携帯電話機１は、制御部１０、ＲＯＭ１１、ＲＡＭ１２、メモリ部１３、通信制御部１４、電池制御部１５、操作部１６、表示部１７、音声回路部１８等を備えており、これらのハードウェア各部はバス１ａを介して相互に接続されている。
【００３８】
制御部１０は、例えばタイマ１０ａが内蔵されたＣＰＵ（Central Processing Unit ）又はＭＰＵ（Micro Processor Unit）等である。制御部１０は、タイマ１０ａにて計時するタイミングに従って、ＲＯＭ１１又はメモリ部１３に予め記憶してある制御プログラムを適宜ＲＡＭ１２に読み出して実行すると共に、上述したハードウェア各部の動作を制御する。ＲＯＭ１１は、携帯電話機１を本発明の電話装置として動作させるために必要な種々の制御プログラムを予め格納している。ＲＡＭ１２は、例えばＳＲＡＭ又はフラッシュメモリ等であり、制御部１０による制御プログラムの実行時に発生する種々のデータを一時的に記憶する。
【００３９】
メモリ部１３は例えばフラッシュメモリのような不揮発性のメモリである。メモリ部１３は、携帯電話機１を本発明の電話装置として動作させるために必要な種々の制御プログラム、着信音データ（着信メロディ）等を予め格納している。また、メモリ部１３は、自身の携帯電話機１に関する情報として、携帯電話機１の電話番号、携帯電話機１の所有者の氏名等も格納している。
【００４０】
通信制御部１４は、ネットワークＬを介した無線通信のために電波の送受信を行なうアンテナ１４ａに接続されており、制御部１０からの指示に従ってアンテナ１４ａを介して、最寄の無線ＡＰ２との接続を確立する。なお、携帯電話機１を中心とした所定範囲内に無線ＡＰ２が存在しない場合、携帯電話機１はネットワークＬを介した通信を行なうことができない。
【００４１】
電池制御部１５は、電源コンセント（ＡＣ電源）及び電池（共に図示せず）に接続されており、電源コンセントから供給される電力を電池へ供給して電池を充電する。また、電池制御部１５は、電源コンセント又は電池から供給される電力を携帯電話機１のハードウェア各部へ供給する。
【００４２】
操作部１６は、携帯電話機１を所有する所有者（ユーザ）が携帯電話機１を操作するために必要な各種の操作キーを備えている。ユーザにより各操作キーが操作された場合、操作部１６は操作された操作キーに対応した制御信号を制御部１０へ送出し、制御部１０は取得した制御信号に対応した処理を実行する。
【００４３】
表示部１７は、例えば液晶ディスプレイ（ＬＣＤ）であり、制御部１０からの指示に従って、携帯電話機１の動作状況、操作部１６を介して入力された情報、所有者に対して通知すべき情報等を表示する。
【００４４】
音声回路部１８は、マイク１８ａ及びスピーカ１８ｂと接続されている。マイク１８ａは、携帯電話機１が電話機として使用される際にユーザ（所有者）が発話した音声を集音して音声回路部１８へ伝送する。スピーカ１８ｂは、携帯電話機１が電話機として使用される際に着信音及び発信者（通話先）からの通話音を出力する。
【００４５】
音声回路部１８は、Ａ／Ｄ変換器（図示せず）を有する。音声回路部１８は、マイク１８ａが集音して得られたアナログの音声信号に対してＡ／Ｄ変換処理を行なってデジタルの音声信号を生成し、得られたデジタルの音声信号を通信制御部１４へ送出する。なお、通信制御部１４は、音声回路部１８から送出されたデジタルの音声信号を音声パケットに変換し、得られた音声パケットをアンテナ１４ａを介して通話相手の携帯電話機１へ送信する。
【００４６】
また、音声回路部１８は、制御部１０からの指示に従って、メモリ部１３から読み出された着信音データに基づく着信音をスピーカ１８ｂに出力する。また、音声回路部１８は、制御部１０からの指示に従って、通信制御部１４によって通話相手の携帯電話機１から受信した音声データに基づく通話音をスピーカ１８ｂに出力する。
【００４７】
なお、通信制御部１４は、Ｄ／Ａ変換器（図示せず）を有し、ネットワークＬから受信した音声パケットをデジタルの音声信号に変換し、得られたデジタルの音声信号に対してＤ／Ａ変換処理を行なってアナログの音声信号を生成し、得られたアナログの音声信号を音声回路部１８へ送出する。
【００４８】
上述した処理により、携帯電話機１は、ネットワークＬを介して通話相手の携帯電話機１との間で通信を行なうことができる。なお、携帯電話機１は、音声パケットだけでなく、映像信号を変換して生成した映像パケット、データ信号を変換して生成したデータパケット等の送受信も行なうことができる。
【００４９】
図３は実施形態１に係る呼制御サーバ３及びコンピュータ４の構成例を示すブロック図である。本実施形態１の呼制御サーバ３は、制御部３０、ＲＯＭ３１、ＲＡＭ３２、メモリ部３３、ネットワークＬを介した通信を行なうための通信部３４等を備えており、これらのハードウェア各部はバス３ａを介して相互に接続されている。
【００５０】
制御部３０は、例えばＣＰＵ又はＭＰＵ等である。即ち、制御部３０は、ＲＯＭ３１又はメモリ部３３に予め記憶してある制御プログラムを適宜ＲＡＭ３２に読み出して実行すると共に、上述したハードウェア各部の動作を制御する。ＲＯＭ３１には、呼制御サーバ３を動作させるために必要な種々の制御プログラムが予め格納されている。ＲＡＭ３２は、例えばＳＲＡＭ又はフラッシュメモリ等であり、制御部３０による制御プログラムの実行時に発生する種々のデータを一時的に記憶する。
【００５１】
メモリ部３３はフラッシュメモリのような不揮発性のメモリである。メモリ部３３には、呼制御サーバ３を動作させるために必要な種々の制御プログラム、ＩＰ電話システム１００の利用者に関する利用者情報等が予め格納されている。なお、利用者情報としては、例えば、各利用者の携帯電話機１の電話番号、氏名及び会社名等がある。
【００５２】
本実施形態１のコンピュータ４は、公知のパーソナルコンピュータであり、制御部４０、ＲＯＭ４１、ＲＡＭ４２、ＨＤＤ４３、操作部４４、表示部４５、ネットワークＬを介した通信を行なうための通信部４６等を備えており、これらのハードウェア各部はバス４ａを介して相互に接続されている。
【００５３】
制御部４０は、例えばＣＰＵ又はＭＰＵ等であり、ＲＯＭ４１又はＨＤＤ４３に予め記憶してある制御プログラムを適宜ＲＡＭ４２に読み出して実行すると共に、上述したハードウェア各部の動作を制御する。ＲＯＭ４１は、コンピュータ４を本発明に係る通信装置として動作させるために必要な種々の制御プログラムを予め格納している。ＲＡＭ４２は、例えばＳＲＡＭ又はフラッシュメモリ等であり、制御部４０による制御プログラムの実行時に発生する種々のデータを一時的に記憶する。
【００５４】
ＨＤＤ４３は大容量の記憶装置である。ＨＤＤ４３には、コンピュータ４を本発明に係る通信装置として動作させるために必要な種々の制御プログラム、コンピュータ４を中心とした所定範囲内における人の有無を検出する人検出処理プログラム４３ａ等が予め格納されている。
【００５５】
操作部４４は、例えばキーボード及びマウス等であり、コンピュータ４を操作するユーザがコンピュータ４を操作するために必要な各種の操作キーを備えている。ユーザにより各操作キーが操作された場合、操作部４４は操作された操作キーに対応した制御信号を制御部４０へ送出し、制御部４０は取得した制御信号に対応した処理を実行する。
【００５６】
表示部４５は、例えば液晶ディスプレイ又はＣＲＴディスプレイであり、制御部４０からの指示に従って、コンピュータ４の動作状況、操作部４４を介して入力された情報、コンピュータ４のユーザに対して通知すべき情報等を表示する。
【００５７】
上述したコンピュータ４において、制御部４０は、人検出処理プログラム４３ａをＨＤＤ４３からＲＡＭ４２に読み出して順次実行することにより、コンピュータ４の近傍における人の有無を検出する人検出手段として動作する。本実施形態１では、制御部４０は、例えば、操作部４４をユーザが操作したか否かに応じてコンピュータ４の近傍に人がいるか否かを判断する。具体的には、制御部４０は、操作部４４がユーザによって操作された場合、コンピュータ４の近傍に人がいると判断し、操作部４４がユーザによって操作されなくなってから所定時間以上が経過した場合、コンピュータ４の近傍に人はいないと判断する。
【００５８】
しかし、例えば、人にＲＦＩＤ（Radio Frequency Identification：電波方式認識）カードを携帯させると共に、ＲＦＩＤカードに対する読取処理が可能な読取装置をコンピュータ４に接続し、読取装置によるＲＦＩＤカードの読取結果に基づいてコンピュータ４の近傍に人がいるか否かを判断するようにしてもよい。
【００５９】
また、コンピュータ４は、ネットワークＬを介して接続されている呼制御サーバ３との間で通信を行なうだけでなく、無線ＡＰ２，２…を介して携帯電話機１，１…との間でも通信を行なうことができる。
【００６０】
上述のＩＰ電話システム１００において、無線ＡＰ２は、自身を中心とした所定範囲内に存在する携帯電話機１，１…との間で無線通信を行なうと共に、ネットワークＬを介して他の無線ＡＰ２，２…、呼制御サーバ３又はコンピュータ４との間でも通信を行なう。無線ＡＰ（送信装置）２，２…は、ネットワークＬを介して他の無線ＡＰ２，２…、呼制御サーバ３及びコンピュータ４等との間で行なう通信に係る情報を含むパケット（ビーコン信号）を例えば１００ミリ秒毎に送信している。
【００６１】
具体的には、無線ＡＰ２，２…は、いずれかの携帯電話機１に対して着信がある旨を呼制御サーバ３から通知された場合、その携帯電話機１に対して着信がある旨を示す情報をビーコン信号に含めて送信する。従って、携帯電話機１，１…は、無線ＡＰ２から送信されてくるビーコン信号を受信することにより、自身に対して着信があることを検知することができる。
【００６２】
また、無線ＡＰ２，２…は、自身を識別するための情報（ＥＳＳ−ＩＤ：Extended Service Set IDentifier）をメモリ（図示せず）に記憶しており、ビーコン信号を送信する際に、この情報をビーコン信号に含めて送信する。従って、携帯電話機１，１…は、無線ＡＰ２から送信されてくるビーコン信号を受信することにより、最寄りの無線ＡＰ２を検出することができる。
【００６３】
また、携帯電話機１，１…は、無線ＡＰ２から送信されてくるビート信号に対して所定のパケットを返信することによって無線ＡＰ２に対して応答を行なうことができ、無線ＡＰ２，２…は、２つの携帯電話機１，１間での通話が開始された場合、その通話に関する情報をビーコン信号に含めて送信する。従って、携帯電話機１，１…は、無線ＡＰ２から送信されてくるビーコン信号を受信すると共に、スピーカ１８ｂによって集音された音声信号に基づいて通信制御部１４によって生成された音声パケットを最寄りの無線ＡＰ２へ送信することにより、ネットワークＬを介して他の携帯電話機１との間でパケットの送受信を行なうことができる。
【００６４】
ここで、無線ＡＰ２，２…は、上述したようなビーコン信号を例えば１００ミリ秒毎に送信しているが、携帯電話機１，１…がビーコン信号を受信する間隔は変更が可能である。具体的には、無線ＡＰ２，２…は、自身が送信するビーコン信号の受信間隔を示すＤＴＩＭ情報をメモリに記憶しており、ビーコン信号を送信する際にこのＤＴＩＭ情報をビーコン信号に含めて送信する。従って、各無線ＡＰ２，２…が送信するビーコン信号の受信可能エリア内の各携帯電話機１，１…は、最寄りの無線ＡＰ２，２…から送信されてくるビーコン信号に含まれるＤＴＩＭ情報が示す受信間隔でビーコン信号の受信処理を行なう。
【００６５】
なお、無線ＡＰ２，２…が記憶するＤＴＩＭ情報は、例えば、コンピュータ４を介して変更することができるので、各携帯電話機１，１…が最寄りの無線ＡＰ２からのビーコン信号を受信する間隔は変更可能である。ここでは、ＤＴＩＭ情報として１０が設定されているとする。なお、ＤＴＩＭ情報が１０に設定された場合、携帯電話機１は、無線ＡＰ２から送信されてくるビーコン信号を１０回に１回受信する。即ち、無線ＡＰ２は１００ミリ秒毎にビーコン信号を送信するので、携帯電話機１は、１０００ミリ秒（１秒）（所定の時間間隔）毎にビーコン信号を受信することになる。
【００６６】
ここで、本実施形態１のＩＰ電話システム１００では、所定のコンピュータ４の近傍に人がいる場合、所定の携帯電話機１によるビーコン信号の受信間隔を、上述したようにＤＴＩＭ情報に従った時間間隔（具体的には１秒毎）よりも長い時間間隔（例えば５秒間隔、５分間隔、１０分間隔、２０分間隔等）（第１時間間隔）に変更させる。これにより、携帯電話機１によるビーコン信号の受信処理の回数を低減させることができるので、携帯電話機１における消費電力を低減させることができる。
【００６７】
一方、所定のコンピュータ４の近傍に人がいなくなった場合、所定の携帯電話機１によるビーコン信号の受信間隔を、ＤＴＩＭ情報に従った時間間隔（第２時間間隔）に戻させる。このように携帯電話機１によるビーコン信号の受信回数を所定の回数に戻すことにより、着信に対するレスポンスの悪化を抑制することができる。
【００６８】
具体的には、コンピュータ４の制御部４０は、ＨＤＤ４３に記憶してある人検出処理プログラム４３ａをＲＡＭ４２に読み出して実行することにより、コンピュータ４の近傍における人の有無を検出しており、人がいない状態から人がいる状態に変化したこと、及び人がいる状態から人がいない状態に変化したことを検出する。コンピュータ４の制御部４０は、人がいない状態から人がいる状態に変化したことを検出した場合、所定の携帯電話機１に対して、無線ＡＰ２から送信されてくるビーコン信号の受信間隔をＤＴＩＭ情報に従った時間間隔よりも長い時間間隔に変更する指示を送信する。
【００６９】
即ち、この携帯電話機１の最寄りの無線ＡＰ２は、この携帯電話機１を示す情報と、ビーコン信号の受信間隔を長い時間間隔に変更する指示とを含むビーコン信号を送信する。従って、このようなビーコン信号を受信した携帯電話機１は、ビーコン信号の受信間隔を長い時間間隔に変更する指示が自身宛の指示であることを検出した場合、ビーコン信号の受信間隔を長い時間間隔に変更する。具体的には、携帯電話機１の制御部１０は、ビーコン信号に含まれる指示に基づく長い時間間隔を示す情報をメモリ部１３に記憶させ、これ以降において、メモリ部１３に記憶された情報に基づく長い時間間隔でのビーコン信号の受信処理を開始する。
【００７０】
また、コンピュータ４の制御部４０は、人がいる状態から人がいない状態に変化したことを検出した場合、所定の携帯電話機１に対して、無線ＡＰ２から送信されてくるビーコン信号の受信間隔をＤＴＩＭ情報に従った所定の時間間隔に戻す指示を送信する。即ち、この携帯電話機１の最寄りの無線ＡＰ２は、この携帯電話機１を示す情報と、ビーコン信号の受信間隔を元に戻す指示とを含むビーコン信号を送信する。従って、このようなビーコン信号を受信した携帯電話機１は、ビーコン信号の受信間隔を元に戻す指示が自身宛の指示であることを検出した場合、ビーコン信号の受信間隔を所定の時間間隔に戻す。具体的には、携帯電話機１の制御部１０は、メモリ部１３に記憶してある長い時間間隔を示す情報を消去し、無線ＡＰ２から送信されてくるビーコン信号に含まれるＤＴＩＭ情報に従った所定の時間間隔でのビーコン信号の受信処理を開始する。
【００７１】
なお、コンピュータ４の制御部４０は、上述したように、人がいない状態から人がいる状態に変化したこと、又は人がいる状態から人がいない状態に変化したことを検出した場合に、所定の携帯電話機１に対して、ビーコン信号の受信間隔を変更させる指示又は元に戻す指示を送信するという処理のほかに、例えば、コンピュータ４の近傍に人がいるか否かに基づく各指示を定期的に所定の携帯電話機１に対して送信するという処理を実行してもよい。
【００７２】
また、コンピュータ４は、ビーコン信号の受信間隔を変更させる指示又は元に戻す指示を送信する送信先の携帯電話機１を示す電話識別情報（例えば、電話番号）を予めＨＤＤ４３に記憶しており、人がいない状態から人がいる状態に変化したこと又は人がいる状態から人がいない状態に変化したことを検出した場合、ＨＤＤ４３に記憶してある電話識別情報が示す携帯電話機１へ、ビーコン信号の受信間隔を変更させる指示又は元に戻す指示を送信する。なお、予めＨＤＤ４３に記憶しておく携帯電話機１の電話番号は１つに限られず複数であってもよい。
【００７３】
なお、携帯電話機１は、他の携帯電話機１，１…からの着信の待ち受け状態において、所定のコンピュータ４の近傍における人の有無に応じて適宜ビーコン信号の受信間隔を変更させるという処理を実行し、他の携帯電話機１，１…との間で通信（通話）を開始した場合には、無線ＡＰ２から送信されてくるビーコン信号を、無線ＡＰ２からの送信タイミング毎（１００ミリ秒毎）に受信する。これにより、携帯電話機１，１間で十分な量のデータの送受信が可能となるので、良好な音質での通話を行なうことができる。
【００７４】
以下に、本実施形態１のＩＰ電話システム１００において、携帯電話機１が無線ＡＰ２からのビーコン信号の受信間隔を変更する処理についてフローチャートに基づいて説明する。図４は携帯電話機１によるビーコン信号の受信間隔の変更処理の手順を示すフローチャートである。なお、以下の処理は、コンピュータ４のＲＯＭ４１又はＨＤＤ４３に記憶してある制御プログラムに従って制御部４０によって実行されると共に、携帯電話機１のＲＯＭ１１又はメモリ部１３に記憶してある制御プログラムに従って制御部１０によって実行される。
【００７５】
コンピュータ４の制御部４０は、ＨＤＤ４３に記憶してある人検出処理プログラム４３ａをＲＡＭ４２に読み出して実行し、コンピュータ４の近傍に人がいない状態から人がいる状態に変化したこと、即ち人が近付いたことを検出したか否かを判断している（Ｓ１）。人が近付いたことを検出したと判断した場合（Ｓ１：ＹＥＳ）、制御部４０は、ＨＤＤ４３に記憶してある電話番号を読み出し（Ｓ２）、読み出した電話番号が示す携帯電話機１に対して、無線ＡＰ２を介して、ビーコン信号の受信間隔を長い時間間隔に変更する指示を送信する（Ｓ３）。
【００７６】
なお、この携帯電話機１の最寄りの無線ＡＰ２は、この携帯電話機１を示す情報と、ビーコン信号の受信間隔を長い時間間隔に変更する指示とを含むビーコン信号を送信しており、このようなビーコン信号を受信した携帯電話機１の制御部１０は、ビーコン信号に含まれる指示が示す長い時間間隔をメモリ部１３に記憶させる（Ｓ４）。制御部１０は、メモリ部１３に記憶された長い時間間隔でのビーコン信号の受信処理を開始し（Ｓ５）、上述した処理を終了する。
【００７７】
コンピュータ４の制御部４０は、人が近付いたことを検出していないと判断した場合（Ｓ１：ＮＯ）、例えば、コンピュータ４の近傍に人がいる状態において、人がいなくなったことを検出したか否かを判断する（Ｓ６）。人がいなくなったことを検出したと判断した場合（Ｓ６：ＹＥＳ）、制御部４０は、ＨＤＤ４３に記憶してある電話番号を読み出し（Ｓ７）、読み出した電話番号が示す携帯電話機１に対して、無線ＡＰ２を介して、ビーコン信号の受信間隔を所定の時間間隔に戻す指示を送信する（Ｓ８）。
【００７８】
なお、この携帯電話機１の最寄りの無線ＡＰ２は、この携帯電話機１を示す情報と、ビーコン信号の受信間隔を所定の時間間隔に戻す指示とを含むビーコン信号を送信しており、このようなビーコン信号を受信した携帯電話機１の制御部１０は、ステップＳ４でメモリ部１３に記憶させた長い時間間隔を消去する（Ｓ９）。そして、制御部１０は、無線ＡＰ２から送信されてくるビーコン信号に含まれるＤＴＩＭ情報に従った所定の時間間隔でのビーコン信号の受信処理を開始し（Ｓ１０）、上述した処理を終了する。
【００７９】
コンピュータ４の制御部４０は、コンピュータ４の近傍に人がいる状態において、人がいなくなったことを検出していないと判断した場合（Ｓ６：ＮＯ）、ステップＳ１へ処理を戻し、上述したステップＳ１〜Ｓ６の処理を繰り返す。
【００８０】
上述したように、本実施形態１では、携帯電話機１が待ち受け状態である場合に、コンピュータ４の近傍における人の有無に応じてビーコン信号の受信間隔を変更するという処理を実行する。これにより、ビーコン信号の受信間隔を所定の時間間隔よりも長い時間間隔に変更した場合には、携帯電話機１における消費電力を低減させることができる。また、ビーコン信号の受信間隔を元の所定の時間間隔に戻した場合には、着信に対するレスポンスの悪化を抑制することができる。
【００８１】
（実施形態２）
以下に、本発明に係る通信システムをＩＰ電話システムに適用した実施形態２を示す図面に基づいて詳述する。本実施形態２のＩＰ電話システムは、上述した実施形態１の携帯電話機１、無線ＡＰ２、呼制御サーバ３及びコンピュータ４を含むので、携帯電話機１、無線ＡＰ２、呼制御サーバ３及びコンピュータ４の詳細な構成についての説明は省略する。
【００８２】
上述した実施形態１のＩＰ電話システム１００では、コンピュータ４の制御部４０が、コンピュータ４の近傍に人がいない状態から人がいる状態に変化したこと、又は人がいる状態から人がいない状態に変化したことを検出した場合、所定の携帯電話機１に対して、無線ＡＰ２から送信されてくるビーコン信号の受信間隔を長い時間間隔に変更する指示又は元の時間間隔に戻す指示を送信する。
【００８３】
これに対して、本実施形態２のＩＰ電話システム１００では、コンピュータ４の制御部４０は、コンピュータ４の近傍に人がいない状態から人がいる状態に変化したこと、又は人がいる状態から人がいない状態に変化したことを検出した場合、その検出結果をネットワークＬを介してサーバ装置５（図５参照）へ通知する。そして、サーバ装置５が、コンピュータ４から通知された検出結果に基づいて、コンピュータ４に対応する携帯電話機１に対して、無線ＡＰ２から送信されてくるビーコン信号の受信間隔を長い時間間隔に変更する指示又は元の時間間隔に戻す指示を送信する。
【００８４】
図５は実施形態２に係るＩＰ電話システムの構成例を示す模式図である。本実施形態２のＩＰ電話システム１００は、携帯電話機１、無線ＡＰ２、呼制御サーバ３及びコンピュータ４のほかに、本発明に係る中継装置としてのサーバ装置５がネットワークＬに接続されている。サーバ装置５は、ネットワークＬを介して接続されている呼制御サーバ３及びコンピュータ４との間で通信を行なうだけでなく、無線ＡＰ２，２…を介して携帯電話機１，１…との間でも通信を行なうことができる。
【００８５】
図６は実施形態２に係るサーバ装置５の構成例を示すブロック図である。本実施形態２のサーバ装置５は、制御部５０、ＲＯＭ５１、ＲＡＭ５２、メモリ部５３、ネットワークＬを介した通信を行なうための通信部５４等を備えており、これらのハードウェア各部はバス５ａを介して相互に接続されている。
【００８６】
制御部５０は、例えばＣＰＵ又はＭＰＵ等であり、ＲＯＭ５１又はメモリ部５３に予め記憶してある制御プログラムを適宜ＲＡＭ５２に読み出して実行すると共に、上述したハードウェア各部の動作を制御する。ＲＯＭ５１は、サーバ装置５を本発明に係る中継装置として動作させるために必要な種々の制御プログラムを予め格納している。ＲＡＭ５２は、例えばＳＲＡＭ又はフラッシュメモリ等であり、制御部５０による制御プログラムの実行時に発生する種々のデータを一時的に記憶する。
【００８７】
メモリ部５３は例えばフラッシュメモリのような不揮発性のメモリである。メモリ部５３は、サーバ装置５を本発明に係る中継装置として動作させるために必要な種々の制御プログラム、図７に示すような装置対応テーブル５３ａ等を予め格納している。
【００８８】
図７は装置対応テーブル５３ａの登録内容を示す模式図である。装置対応テーブル５３ａには、図７に示すように、ＩＰ電話システム１００の利用が可能な携帯電話機１，１…を識別するための電話識別情報（電話装置情報）に対応付けて、各携帯電話機１，１…に対して予め設定されたコンピュータ４を識別するためのコンピュータ識別情報（通信装置情報）が登録してある。
【００８９】
なお、本実施形態２では、電話識別情報の欄には携帯電話機１，１…の電話番号が登録されており、コンピュータ識別情報の欄にはコンピュータ４の名称が登録されているが、電話識別情報としては、各携帯電話機１，１…に割り当てられたＩＤ情報を用いることができ、コンピュータ識別情報としては、コンピュータ４に割り振られたＩＰアドレス等を用いることができる。
【００９０】
また、電話識別情報の各欄には複数の携帯電話機１，１が登録されてもよく、コンピュータ識別情報の各欄には複数のコンピュータ４が登録されてもよい。装置対応テーブル５３ａの登録内容は、例えば、携帯電話機１の所有者又はＩＰ電話システム１００の管理者がコンピュータ４を介して追加又は修正する都度、サーバ装置５の制御部５０によって追加又は修正される。
【００９１】
本実施形態２のＩＰ電話システム１００において、コンピュータ４の制御部４０は、上述した実施形態１と同様に、ＨＤＤ４３に記憶してある人検出処理プログラム４３ａをＲＡＭ４２に読み出して実行することにより、コンピュータ４の近傍における人の有無を検出しており、人がいない状態から人がいる状態に変化したこと、及び人がいる状態から人がいない状態に変化したことを検出する。
【００９２】
なお、本実施形態２では、コンピュータ４の制御部４０は、人がいない状態から人がいる状態に変化したことを検出した場合、又は人がいる状態から人がいない状態に変化したことを検出した場合、その検出結果をネットワークＬを介してサーバ装置５へ通知する。そして、サーバ装置５の制御部５０は、検出結果を通知されたコンピュータ４に対応する携帯電話機１の電話識別情報を装置対応テーブル５３ａから読み出す。また、サーバ装置５の制御部５０は、コンピュータ４から通知された検出結果が、人がいない状態から人がいる状態に変化したことを検出した結果である場合、装置対応テーブル５３ａから読み出した電話識別情報が示す携帯電話機１に対して、無線ＡＰ２から送信されてくるビーコン信号の受信間隔を長い時間間隔に変更する指示を送信する。
【００９３】
即ち、この携帯電話機１の最寄りの無線ＡＰ２は、この携帯電話機１を示す情報と、ビーコン信号の受信間隔を長い時間間隔に変更する指示とを含むビーコン信号を送信する。従って、このようなビーコン信号を受信した携帯電話機１は、ビーコン信号の受信間隔を長い時間間隔に変更する指示が自身宛の指示であることを検出した場合、ビーコン信号の受信間隔を長い時間間隔に変更する。具体的には、携帯電話機１の制御部１０は、ビーコン信号に含まれる指示に基づく長い時間間隔を示す情報をメモリ部１３に記憶させ、これ以降において、メモリ部１３に記憶された情報が示す長い時間間隔でのビーコン信号の受信処理を開始する。
【００９４】
また、サーバ装置５の制御部５０は、コンピュータ４から通知された検出結果が、人がいる状態から人がいない状態に変化したことを検出した結果である場合、装置対応テーブル５３ａから読み出した電話識別情報が示す携帯電話機１に対して、無線ＡＰ２から送信されてくるビーコン信号の受信間隔を所定の時間間隔に戻す指示を送信する。即ち、この携帯電話機１の最寄りの無線ＡＰ２は、この携帯電話機１を示す情報と、ビーコン信号の受信間隔を元に戻す指示とを含むビーコン信号を送信する。従って、このようなビーコン信号を受信した携帯電話機１は、ビーコン信号の受信間隔を元に戻す指示が自身宛の指示であることを検出した場合、ビーコン信号の受信間隔を所定の時間間隔に戻す。具体的には、携帯電話機１の制御部１０は、メモリ部１３に記憶してある長い時間間隔を示す情報を消去し、無線ＡＰ２から送信されてくるビーコン信号に含まれるＤＴＩＭ情報に従った所定の時間間隔でのビーコン信号の受信処理を開始する。
【００９５】
なお、本実施形態２においても、コンピュータ４の制御部４０は、上述したように、人がいない状態から人がいる状態に変化したこと又は人がいる状態から人がいない状態に変化したことを検出した場合に、その検出結果をサーバ装置５へ通知するという処理を実行するほかに、例えば、定期的に検出結果をサーバ装置５へ通知するという処理を実行してもよい。
【００９６】
以下に、本実施形態２のＩＰ電話システム１００において、携帯電話機１が無線ＡＰ２からのビーコン信号の受信間隔を変更する処理についてフローチャートに基づいて説明する。図８は携帯電話機１によるビーコン信号の受信間隔の変更処理の手順を示すフローチャートである。なお、以下の処理は、コンピュータ４のＲＯＭ４１又はＨＤＤ４３に記憶してある制御プログラムに従って制御部４０によって実行され、サーバ装置５のＲＯＭ５１又はメモリ部５３に記憶してある制御プログラムに従って制御部５０によって実行されると共に、携帯電話機１のＲＯＭ１１又はメモリ部１３に記憶してある制御プログラムに従って制御部１０によって実行される。
【００９７】
コンピュータ４の制御部４０は、ＨＤＤ４３に記憶してある人検出処理プログラム４３ａをＲＡＭ４２に読み出して実行し、コンピュータ４の近傍に人がいない状態において、人が近付いたことを検出したか否かを判断している（Ｓ２１）。人が近付いたことを検出したと判断した場合（Ｓ２１：ＹＥＳ）、その検出結果をネットワークＬを介してサーバ装置５へ通知する（Ｓ２２）。
【００９８】
サーバ装置５の制御部５０は、検出結果を通知されたコンピュータ４に対応する携帯電話機１の電話識別情報を装置対応テーブル５３ａから読み出し（Ｓ２３）、読み出した電話識別情報が示す携帯電話機１に対して、無線ＡＰ２を介して、ビーコン信号の受信間隔を長い時間間隔に変更する指示を送信する（Ｓ２４）。
【００９９】
なお、この携帯電話機１の最寄りの無線ＡＰ２は、この携帯電話機１を示す情報と、ビーコン信号の受信間隔を長い時間間隔に変更する指示とを含むビーコン信号を送信しており、このようなビーコン信号を受信した携帯電話機１の制御部１０は、ビーコン信号に含まれる指示が示す長い時間間隔をメモリ部１３に記憶させる（Ｓ２５）。制御部１０は、メモリ部１３に記憶された長い時間間隔でのビーコン信号の受信処理を開始し（Ｓ２６）、上述した処理を終了する。
【０１００】
コンピュータ４の制御部４０は、人が近付いたことを検出していないと判断した場合（Ｓ２１：ＮＯ）、例えば、コンピュータ４の近傍に人がいる状態において、人がいなくなったことを検出したか否かを判断する（Ｓ２７）。人がいなくなったことを検出したと判断した場合（Ｓ２７：ＹＥＳ）、制御部４０は、その検出結果をネットワークＬを介してサーバ装置５へ通知する（Ｓ２８）。
【０１０１】
サーバ装置５の制御部５０は、検出結果を通知されたコンピュータ４に対応する携帯電話機１の電話識別情報を装置対応テーブル５３ａから読み出し（Ｓ２９）、読み出した電話識別情報が示す携帯電話機１に対して、無線ＡＰ２を介して、ビーコン信号の受信間隔を所定の時間間隔に戻す指示を送信する（Ｓ３０）。
【０１０２】
なお、この携帯電話機１の最寄りの無線ＡＰ２は、この携帯電話機１を示す情報と、ビーコン信号の受信間隔を所定の時間間隔に戻す指示とを含むビーコン信号を送信しており、このようなビーコン信号を受信した携帯電話機１の制御部１０は、ステップＳ２５でメモリ部１３に記憶させた長い時間間隔を消去する（Ｓ３１）。そして、制御部１０は、無線ＡＰ２から送信されてくるビーコン信号に含まれるＤＴＩＭ情報に従った所定の時間間隔でのビーコン信号の受信処理を開始し（Ｓ３２）、上述した処理を終了する。
【０１０３】
コンピュータ４の制御部４０は、コンピュータ４の近傍に人がいる状態において、人がいなくなったことを検出していないと判断した場合（Ｓ２７：ＮＯ）、ステップＳ２１へ処理を戻し、上述したステップＳ２１〜Ｓ２７の処理を繰り返す。
【０１０４】
上述したように、本実施形態２では、携帯電話機１が待ち受け状態である場合に、コンピュータ４の近傍における人の有無に応じてビーコン信号の受信間隔を変更するという処理を実行する。これにより、ビーコン信号の受信間隔を所定の時間間隔よりも長い時間間隔に変更した場合には、携帯電話機１における消費電力を低減させることができる。また、ビーコン信号の受信間隔を元の所定の時間間隔に戻した場合には、着信に対するレスポンスの悪化を抑制することができる。
【０１０５】
また、本実施形態２では、ビーコン信号の受信間隔を所定の時間間隔よりも長い間隔に変更させる指示又は元に戻す指示を携帯電話機１へ送信する処理をサーバ装置５が行なう。従って、コンピュータ４は、自身の近傍における人の有無を検出し、その結果をサーバ装置５へ通知すればよく、コンピュータ４における処理負担を軽減することができる。
【０１０６】
上述した実施形態２では、コンピュータ４が、自身の近傍における人の有無を検出し、その検出結果をサーバ装置５へ通知し、サーバ装置５が、通知された検出結果に基づいて、ビーコン信号の受信間隔を所定の時間間隔よりも長い間隔に変更させる指示又は元に戻す指示のいずれかを携帯電話機１へ送信する。しかし、例えば、コンピュータ４が、自身の近傍における人の有無を検出し、その検出結果に応じて、ビーコン信号の受信間隔を所定の時間間隔よりも長い間隔に変更させる指示の送信要求又は元に戻す指示の送信要求のいずれかをサーバ装置５へ送信し、サーバ装置５が、受信した送信要求に従って、ビーコン信号の受信間隔を所定の時間間隔よりも長い間隔に変更させる指示又は元に戻す指示のいずれかを携帯電話機１へ送信してもよい。なお、この場合でも各指示を携帯電話機１へ送信する処理はサーバ装置５が行なうので、コンピュータ４における処理負担を軽減することができる。
【０１０７】
（実施形態３）
以下に、本発明に係る通信システムをＩＰ電話システムに適用した実施形態３を示す図面に基づいて詳述する。本実施形態３のＩＰ電話システムは、上述した実施形態２のＩＰ電話システム１００に含まれる各装置によって実現可能である。従って、本実施形態３のＩＰ電話システムは、実施形態２の携帯電話機１、無線ＡＰ２、呼制御サーバ３、コンピュータ４及びサーバ装置５を含むものとして説明する。
【０１０８】
上述した実施形態１，２のＩＰ電話システム１００は、コンピュータ４の近傍に人がいない状態から人がいる状態に変化した場合、無線ＡＰ２から送信されてくるビーコン信号の携帯電話機１による受信間隔を長い時間間隔に変更することにより、携帯電話機１における消費電力を低減させ、コンピュータ４の近傍に人がいる状態から人がいない状態に変化した場合、無線ＡＰ２から送信されてくるビーコン信号の携帯電話機１による受信間隔を所定の時間間隔に戻すことにより、携帯電話機１への着信に対するレスポンスの悪化を抑制する。
【０１０９】
これに対して、本実施形態３のＩＰ電話システム１００では、上述した実施形態１，２に加え、いずれかの携帯電話機１に対する着信があった場合に、各携帯電話機１，１…に対応して予め登録してあるコンピュータ４へ着信があることを通知する。従って、本実施形態３のＩＰ電話システム１００では、携帯電話機１における消費電力を低減させるために、携帯電話機１がビーコン信号を受信する間隔をＤＴＩＭ情報に従った所定の時間間隔よりも長い時間間隔にしてある場合であっても、携帯電話機１に対する着信をコンピュータ４を介して通知することができるので、着信に対するレスポンスの悪化を回避することができる。
【０１１０】
具体的には、本実施形態３のＩＰ電話システム１００において、呼制御サーバ３の制御部３０（検知手段）は、ネットワークＬを介して受信したパケットに基づいて、いずれかの携帯電話機１に対する着信があることを検知する。呼制御サーバ３の制御部（検出手段）３０は、着信があることを検知した場合、受信したパケットを解析し、発信側（掛け手側）の携帯電話機１の電話番号と、着信側（受け手側）の携帯電話機１の電話番号とを検出し、着信側の携帯電話機１へ、発信側の携帯電話機１からの着信があることを通知するパケットを送信する。
【０１１１】
ここで、本実施形態３の呼制御サーバ３は、着信側の携帯電話機１へ、発信側の携帯電話機１からの着信があることを通知するパケットを送信すると共に、発信側の携帯電話機１から着信側の携帯電話機１へ着信があることをネットワークＬを介してサーバ装置５へ通知する。サーバ装置５の制御部５０は、発信側の携帯電話機１から着信側の携帯電話機１へ着信があることを呼制御サーバ３から通知された場合、着信側の携帯電話機１の電話番号（電話識別情報）を装置対応テーブル５３ａの電話識別情報の欄から検索する。
【０１１２】
サーバ装置５の制御部（取得手段、通知手段）５０は、着信側の携帯電話機１に対応して装置対応テーブル５３ａに登録されているコンピュータ４のコンピュータ識別情報を装置対応テーブル５３ａから読み出し、読み出したコンピュータ識別情報が示すコンピュータ４に、発信側の携帯電話機１から着信側の携帯電話機１へ着信がある旨を通知する。
【０１１３】
具体的には、サーバ装置５の制御部５０は、発信側の携帯電話機１から着信側の携帯電話機１へ着信がある旨を通知する通知画面を表示させるための表示用データを生成し、装置対応テーブル５３ａから読み出したコンピュータ識別情報が示すコンピュータ４へ送信する。なお、各携帯電話機１，１…に対応して複数のコンピュータ識別情報が登録されている場合には、全てのコンピュータ識別情報が示すコンピュータ４へ着信がある旨を通知すればよい。
【０１１４】
本実施形態３では、コンピュータ４のＨＤＤ４３に、ネットワークＬを介して所定のパケットを受信した場合に所定の通知画面を表示するための通知画面表示処理プログラムが予め格納されている。従って、コンピュータ４の制御部４０は、サーバ装置５から上述した表示用データを受信した場合、ＨＤＤ４３に記憶してある通知画面表示処理プログラムをＲＡＭ４２に読み出して順次実行することにより、図９に示すような通知画面を表示部４５に表示させる。
【０１１５】
図９は通知画面の構成例を示す模式図である。通知画面は、図９に示すように、着信側の携帯電話機１の電話番号と発信者の携帯電話機１の電話番号とを表示する。なお、呼制御サーバ３又はサーバ装置５において、ＩＰ電話システム１００の利用が可能な各携帯電話機１，１…の電話番号と所有者の情報（氏名）とを対応付けて登録してある場合には、通知画面に着信者及び発信者の氏名をそれぞれ表示させることができる。この場合、この通知画面を見た人は、通知された氏名に基づいて発信者及び着信者を迅速且つ正確に把握することができる。
【０１１６】
また、通知画面には閉じるボタンが表示されており、通知画面が表示部４５に表示してあるコンピュータ４のユーザが、操作部４４を介して閉じるボタンを操作した場合、制御部４０は、通知画面の表示を終了する。
【０１１７】
ここで、本実施形態３の携帯電話機１，１…は、自身に対する着信が通知されていない状態、即ち待ち受け状態において、ユーザ（所有者）が所定の操作を行なった場合、所定の操作が行なわれた時点でビーコン信号の受信が可能となる。従って、携帯電話機１における消費電力を低減させるために携帯電話機１によるビーコン信号の受信間隔を長く設定してあることにより、自身の携帯電話機１に対する着信が通知されていない状態であっても、携帯電話機１側からビーコン信号の受信を行なうことができるので、コンピュータ４に表示された通知画面を介して通知された着信に対して確実に応答することができる。これにより、携帯電話機１によるビーコン信号の受信間隔は論理的には無限大に延ばすことができ、この場合、携帯電話機１における消費電力を大幅に低減することができる。
【０１１８】
また、ＩＰ電話システム１００は、複数の携帯電話機１，１…をグループ毎に予め登録しておき、１つの携帯電話機１に着信があった場合、同じグループ内の他の携帯電話機１によって応答することが可能なコールピックアップ機能を備えている。具体的には、呼制御サーバ３は、グループ毎に、各グループに属する携帯電話機１の電話番号を登録したグループテーブル（図示せず）をメモリ部３３に保持しており、着信側の携帯電話機１へ、発信側の携帯電話機１からの着信があることを通知するパケットを送信した場合に、着信側の携帯電話機１と同じグループに属する他の携帯電話機１から応答があった場合、応答してきた携帯電話機１と発信側の携帯電話機１との接続を確立する。
【０１１９】
これにより、着信側の携帯電話機１の所有者が応答できない状態であっても、予め登録された同じグループ内の他のユーザが確実に応答することができるので業務効率を向上させることができる。なお、グループ内の他のユーザの携帯電話機１，１…においても、ユーザが所定の操作を行なった場合、所定の操作が行なわれた時点でビーコン信号の受信が可能となるので、着信側の携帯電話機１に着信が通知されていない状態であっても、コールピックアップ機能によって、グループ内の他のユーザが着信に対して応答することができる。
【０１２０】
従って、各携帯電話機１，１…に対する着信を通知するコンピュータ４として、コールピックアップ機能を利用するために設定された各グループのメンバが使用するコンピュータ４を設定しておくことにより、コールピックアップ機能によって着信に対して確実に応答することができるユーザに、着信があることを通知することができるので、着信に対して応答することができ、着信に対するレスポンスを向上させることができる。
【０１２１】
なお、コールピックアップ機能によって、着信のあった携帯電話機１ではない携帯電話機１と発信側の携帯電話機１とを接続させた場合、呼制御サーバ３は、着信のあった携帯電話機１へ、着信に対して他の携帯電話機１が応答したことを示すパケットを送信する。これにより、携帯電話機１の制御部１０は、着信に対して応答する必要がなくなったことを検出し、着信音の鳴動を終了させると共に、発信側の携帯電話機１の電話番号の表示部１７への表示を終了させる。
【０１２２】
従って、本実施形態３では、上述したようにコンピュータ４の表示部４５に表示された通知画面を介して、例えば、着信側の携帯電話機１の所有者、着信側の携帯電話機１と同じグループに登録されている携帯電話機１，１…の所有者、コンピュータ４の近傍にいる人等に、着信側の携帯電話機１に対する着信がある旨を通知することができる。よって、携帯電話機１における消費電力を低減させるために、携帯電話機１によるビーコン信号の受信間隔を長い時間間隔にしてある場合であっても、携帯電話機１への着信を確実に把握することができるので、着信に対するレスポンスの悪化を回避することができる。
【０１２３】
以下に、本実施形態３のＩＰ電話システム１００において、携帯電話機１への着信をコンピュータ４へ通知する処理についてフローチャートに基づいて説明する。図１０は携帯電話機１に対する着信のコンピュータ４への通知処理の手順を示すフローチャートである。なお、以下の処理は、呼制御サーバ３のＲＯＭ３１又はメモリ部３３に記憶してある制御プログラムに従って制御部３０によって実行され、サーバ装置５のＲＯＭ５１又はメモリ部５３に記憶してある制御プログラムに従って制御部５０によって実行されると共に、コンピュータ４のＲＯＭ４１又はＨＤＤ４３に記憶してある制御プログラムに従って制御部４０によって実行される。
【０１２４】
呼制御サーバ３の制御部３０は、ネットワークＬを介して受信したパケットに基づいて、いずれかの携帯電話機１に対する着信があるか否かを判断しており（Ｓ４１）、着信がない場合（Ｓ４１：ＮＯ）、着信があるまで待機する。着信があると判断した場合（Ｓ４１：ＹＥＳ）、制御部３０は、受信したパケットを解析し、発信側の携帯電話機１の電話番号と着信側の携帯電話機１の電話番号とを取得する（Ｓ４２）。
【０１２５】
呼制御サーバ３の制御部３０は、着信側の携帯電話機１へ、発信側の携帯電話機１からの着信があることを通知するパケットを送信することにより、着信がある旨を通知する（Ｓ４３）。同時に制御部３０は、発信側の携帯電話機１から着信側の携帯電話機１へ着信があることをサーバ装置５へ通知する（Ｓ４４）。
【０１２６】
サーバ装置５の制御部５０は、発信側の携帯電話機１から着信側の携帯電話機１へ着信があることを呼制御サーバ３から通知された場合、着信側の携帯電話機１の電話番号に対応するコンピュータ識別情報を装置対応テーブル５３ａから読み出す（Ｓ４５）。サーバ装置５の制御部５０は、発信側の携帯電話機１から着信側の携帯電話機１へ着信がある旨を通知する通知画面を表示させるための表示用データを生成し、装置対応テーブル５３ａから読み出したコンピュータ識別情報が示すコンピュータ４へ送信する（Ｓ４６）。
【０１２７】
コンピュータ４の制御部４０は、サーバ装置５から上述した表示用データを受信した場合、ＨＤＤ４３に記憶してある通知画面表示処理プログラムをＲＡＭ４２に読み出して順次実行し、図９に示すような通知画面を表示部４５に表示させ（Ｓ４７）、上述した処理を終了する。
【０１２８】
上述した処理により、携帯電話機１に着信がある場合に、通常の処理によって着信側の携帯電話機１に着信を通知できると共に、着信側の携帯電話機１に対してまだ着信が通知されていない場合であっても、コンピュータ４に表示された通知画面を介して各ユーザに着信を通知することができる。なお、コンピュータ４に表示された通知画面を介して着信を通知されたユーザは、着信側の携帯電話機１の所有者に着信がある旨を教えてもよく、自身の携帯電話機１によって着信に対して応答してもよく、着信に対した確実に応答することができる。
【０１２９】
上述した実施形態３では、呼制御サーバ３が、各携帯電話機１，１…に対する着信を検知し、着信があった場合に発信側の携帯電話機１の電話番号及び着信側の携帯電話機１の電話番号を検出しており、サーバ装置５が、着信側の携帯電話機１に対応するコンピュータ４を特定し、特定したコンピュータ４に、発信側の携帯電話機１から着信側の携帯電話機１へ着信がある旨を通知する構成を例に説明した。
【０１３０】
しかし、例えば、サーバ装置５が装置対応テーブル５３ａを管理しており、呼制御サーバ３が、着信があった場合に発信側の携帯電話機１に対応するコンピュータ４をサーバ装置５へ問い合わせ、サーバ装置５は、呼制御サーバ３からの問い合わせに対応するコンピュータ４を呼制御サーバ３へ通知し、呼制御サーバ３が、通知されたコンピュータ４に、発信側の携帯電話機１から着信側の携帯電話機１へ着信がある旨を通知する構成とすることもできる。また、サーバ装置５が行なっていた処理を呼制御サーバ（通知装置）３が全て行なう構成でもよく、他の通信装置を更にネットワークＬに接続し、呼制御サーバ３及びサーバ装置５がそれぞれ行なっていた処理を呼制御サーバ３、サーバ装置５及び他の通信装置によって分散させて行なう構成としてもよい。
【０１３１】
（実施形態４）
以下に、本発明に係る通信システムをＩＰ電話システムに適用した実施形態４を示す図面に基づいて詳述する。本実施形態４のＩＰ電話システムは、上述した実施形態３のＩＰ電話システム１００を構成する各装置によって実現可能であるので、実施形態３の携帯電話機１、無線ＡＰ２、呼制御サーバ３、コンピュータ４及びサーバ装置５により構成されるものとして説明する。
【０１３２】
上述した実施形態３のＩＰ電話システム１００は、いずれかの携帯電話機１に対する着信があった場合に、各携帯電話機１，１…に対応して予め登録してあるコンピュータ４へ着信があることを通知し、コンピュータ４が通知画面を表示させる構成であった。このような構成の場合、例えば、通知先のコンピュータ４の近傍に誰もいない場合であってもコンピュータ４は所定の通知画面を表示部４５に表示させるので、不要な表示処理が発生してしまう。
【０１３３】
そこで、本実施形態４のＩＰ電話システム１００では、コンピュータ４の制御部４０は、所定の携帯電話機１への着信があることを通知された場合、ＨＤＤ４３に記憶してある人検出処理プログラム４３ａをＲＡＭ４２に読み出して順次実行し、自身の近傍に人がいるか否かを判断し、人がいる場合にのみ通知画面を表示部４５に表示させる。
【０１３４】
具体的には、本実施形態４のＩＰ電話システム１００において、呼制御サーバ３の制御部３０は、上述した実施形態３と同様に、ネットワークＬを介して受信したパケットに基づいて、いずれかの携帯電話機１に対する着信があることを検知した場合、発信側の携帯電話機１の電話番号と、着信側の携帯電話機１の電話番号とを検出し、着信側の携帯電話機１へ、発信側の携帯電話機１からの着信があることを通知するパケットを送信すると共に、発信側の携帯電話機１から着信側の携帯電話機１へ着信があることをネットワークＬを介してサーバ装置５へ通知する。
【０１３５】
サーバ装置５の制御部５０は、発信側の携帯電話機１から着信側の携帯電話機１へ着信があることを呼制御サーバ３から通知された場合、着信側の携帯電話機１に対応するコンピュータ４のコンピュータ識別情報を装置対応テーブル５３ａから読み出す。そして、サーバ装置５の制御部５０は、発信側の携帯電話機１から着信側の携帯電話機１へ着信がある旨を通知する通知画面を表示させるための表示用データを生成し、装置対応テーブル５３ａから読み出したコンピュータ識別情報が示すコンピュータ４に、生成した表示用データを送信することにより、発信側の携帯電話機１から着信側の携帯電話機１へ着信がある旨を通知する。
【０１３６】
サーバ装置５から表示用データを受信したコンピュータ４の制御部４０は、ＨＤＤ４３に記憶してある人検出処理プログラム４３ａをＲＡＭ４２に読み出して順次実行し、自身の近傍に人がいるか否かを判断する。そして、人がいると判断した場合、コンピュータ４の制御部４０は、ＨＤＤ４３に記憶してある通知画面表示処理プログラムをＲＡＭ４２に読み出して順次実行し、サーバ装置５から受信した表示用データに基づいて、図９に示すような通知画面を表示部４５に表示させる。
【０１３７】
上述した処理により、本実施形態４のＩＰ電話システム１００では、携帯電話機１への着信を通知すべき人がコンピュータ４の近傍に確実にいる場合にのみコンピュータ４の表示部４５に通知画面を表示させるので、携帯電話機１への着信をコンピュータ４の近傍にいる人に確実に通知することができる。一方、携帯電話機１への着信を通知すべき人がコンピュータ４の近傍に誰もいない場合には、コンピュータ４の表示部４５に通知画面を表示させないので、不要な表示処理の実行を禁止することができる。
【０１３８】
以下に、本実施形態４のＩＰ電話システム１００において、携帯電話機１への着信をコンピュータ４へ通知する処理についてフローチャートに基づいて説明する。図１１は携帯電話機１に対する着信のコンピュータ４への通知処理の手順を示すフローチャートである。なお、以下の処理は、呼制御サーバ３のＲＯＭ３１又はメモリ部３３に記憶してある制御プログラムに従って制御部３０によって実行され、サーバ装置５のＲＯＭ５１又はメモリ部５３に記憶してある制御プログラムに従って制御部５０によって実行されると共に、コンピュータ４のＲＯＭ４１又はＨＤＤ４３に記憶してある制御プログラムに従って制御部４０によって実行される。
【０１３９】
呼制御サーバ３の制御部３０は、ネットワークＬを介して受信したパケットに基づいて、いずれかの携帯電話機１に対する着信があるか否かを判断しており（Ｓ５１）、着信がない場合（Ｓ５１：ＮＯ）、着信があるまで待機する。着信があると判断した場合（Ｓ５１：ＹＥＳ）、制御部３０は、受信したパケットを解析し、発信側の携帯電話機１の電話番号と着信側の携帯電話機１の電話番号とを取得する（Ｓ５２）。
【０１４０】
呼制御サーバ３の制御部３０は、着信側の携帯電話機１へ、発信側の携帯電話機１からの着信があることを通知するパケットを送信することにより、着信がある旨を通知する（Ｓ５３）。同時に制御部３０は、発信側の携帯電話機１から着信側の携帯電話機１へ着信があることをサーバ装置５へ通知する（Ｓ５４）。
【０１４１】
サーバ装置５の制御部５０は、発信側の携帯電話機１から着信側の携帯電話機１へ着信があることを呼制御サーバ３から通知された場合、着信側の携帯電話機１の電話番号に対応するコンピュータ識別情報を装置対応テーブル５３ａから読み出す（Ｓ５５）。サーバ装置５の制御部５０は、発信側の携帯電話機１から着信側の携帯電話機１へ着信がある旨を通知する通知画面を表示させるための表示用データを生成し、装置対応テーブル５３ａから読み出したコンピュータ識別情報が示すコンピュータ４へ送信する（Ｓ５６）。
【０１４２】
コンピュータ４の制御部４０は、サーバ装置５から上述した表示用データを受信した場合、ＨＤＤ４３に記憶してある人検出処理プログラム４３ａをＲＡＭ４２に読み出して順次実行し、自身の近傍に人がいるか否かを判断する（Ｓ５７）。自身の近傍に人がいると判断した場合（Ｓ５７：ＹＥＳ）、制御部４０は、ＨＤＤ４３に記憶してある通知画面表示処理プログラムをＲＡＭ４２に読み出して順次実行し、図９に示すような通知画面を表示部４５に表示させ（Ｓ５８）、上述した処理を終了する。自身の近傍に人がいないと判断した場合（Ｓ５７：ＮＯ）、制御部４０は、ステップＳ５８の処理をスキップし、上述した処理を終了する。
【０１４３】
上述した処理により、本実施形態４では、携帯電話機１に着信がある場合に、通常の処理によって着信側の携帯電話機１に着信を通知できると共に、着信側の携帯電話機１に対してまだ着信が通知されていない場合であっても、コンピュータ４の近傍に人がいれば、その人にコンピュータ４に表示された通知画面を介して着信を確実に通知することができる。従って、各携帯電話機１，１…の所有者は、予め登録しておいたコンピュータ４を介して着信の有無を知ることができる。また、着信があった携帯電話機１の所有者でない人が、コンピュータ４に表示された通知画面を介して着信を通知された場合、着信側の携帯電話機１の所有者に着信がある旨を教えてもよく、自身の携帯電話機１によって着信に対して応答してもよく、着信に対して確実に応答することができる。
【０１４４】
一方、本実施形態４では、携帯電話機１に着信がある旨をコンピュータ４が通知された場合であっても、コンピュータ４の近傍に誰もいない場合には、通知画面を表示させないので、不要な表示処理を実行させず、コンピュータ４において無駄な処理の実行を回避することができる。
【０１４５】
（実施形態５）
以下に、本発明に係る通信システムをＩＰ電話システムに適用した実施形態５を示す図面に基づいて詳述する。本実施形態５のＩＰ電話システムは、上述した実施形態３のＩＰ電話システム１００に含まれる各装置によって実現可能である。従って、本実施形態５のＩＰ電話システムは、実施形態２の携帯電話機１、無線ＡＰ２、呼制御サーバ３、コンピュータ４及びサーバ装置５を含むものとして説明する。
【０１４６】
上述した実施形態３のＩＰ電話システム１００は、いずれかの携帯電話機１に対する着信があった場合に、各携帯電話機１，１…に対応して予め登録してあるコンピュータ４へ着信があることを通知し、コンピュータ４が通知画面を表示させる。また、上述した実施形態４のＩＰ電話システム１００は、コンピュータ４が、所定の携帯電話機１への着信があることを通知された場合、自身の近傍に人がいるか否かを判断し、人がいる場合にのみ所定の通知画面を表示させる。
【０１４７】
これに対して、本実施形態５のＩＰ電話システム１００では、サーバ装置５が、各携帯電話機１，１…に対して予め登録されたコンピュータ４の近傍における人の有無をリアルタイムで管理しており、いずれかの携帯電話機１に対する着信があった場合に、サーバ装置５が、着信があった携帯電話機１に対応するコンピュータ４の近傍に人がいるか否かを判断し、人がいる場合にのみコンピュータ４へ着信があることを通知する。
【０１４８】
なお、本実施形態５では、サーバ装置５のメモリ部５３には、図１２に示すような装置対応テーブル５３ａが格納されている。図１２は装置対応テーブル５３ａの登録内容を示す模式図である。本実施形態５の装置対応テーブル５３ａには、図１２に示すように、ＩＰ電話システム１００の利用が可能な携帯電話機１，１…を識別するための電話識別情報に対応付けて、各携帯電話機１，１…に対して予め設定されたコンピュータ４を識別するためのコンピュータ識別情報と、各コンピュータ４の近傍における人の有無を示す人情報とが登録してある。
【０１４９】
装置対応テーブル５３ａにおいて、電話識別情報の欄には、携帯電話機１，１…の電話番号等が登録されており、コンピュータ識別情報の欄には、コンピュータ４の名称、ＩＰアドレス等が登録されており、人情報の欄には、人がいる場合には「１」が、人がいない場合には「０」が登録されている。なお、本実施形態５では、電話識別情報の各欄には１つの携帯電話機１のみが登録されるが、コンピュータ識別情報の各欄には複数のコンピュータ４が登録されてもよく、複数のコンピュータ４が登録される場合には、各コンピュータ４のそれぞれに対応する人情報が登録される。
【０１５０】
装置対応テーブル５３ａの登録内容は、例えば、携帯電話機１の所有者又はＩＰ電話システム１００の管理者がコンピュータ４を介して追加又は修正する都度、サーバ装置５の制御部５０によって追加又は修正される。また、装置対応テーブル５３ａの人情報の欄の登録内容は、各コンピュータ４から、各コンピュータ４の近傍における人の有無が通知される都度、サーバ装置５の制御部５０によって修正される。
【０１５１】
なお、コンピュータ４の制御部４０は、ＨＤＤ４３に記憶してある人検出処理プログラム４３ａをＲＡＭ４２に読み出して実行することにより、コンピュータ４の近傍における人の有無を検出しており、人がいない状態から人がいる状態に変化したこと、及び人がいる状態から人がいない状態に変化したことを検出した場合、適宜その旨をサーバ装置５へ通知する。これにより、サーバ装置５は、各携帯電話機１，１…に対して予め登録されたコンピュータ４の近傍における人の有無をリアルタイムで管理することができる。
【０１５２】
上述した本実施形態５のＩＰ電話システム１００において、呼制御サーバ３の制御部３０は、上述した実施形態３，４と同様に、ネットワークＬを介して受信したパケットに基づいて、いずれかの携帯電話機１に対する着信があることを検知した場合、発信側の携帯電話機１の電話番号と、着信側の携帯電話機１の電話番号とを検出し、着信側の携帯電話機１へ、発信側の携帯電話機１からの着信があることを通知するパケットを送信すると共に、発信側の携帯電話機１から着信側の携帯電話機１へ着信があることをネットワークＬを介してサーバ装置５へ通知する。
【０１５３】
サーバ装置５の制御部５０は、発信側の携帯電話機１から着信側の携帯電話機１へ着信があることを呼制御サーバ３から通知された場合、装置対応テーブル５３ａの登録内容に基づいて、着信側の携帯電話機１に対応するコンピュータ４の近傍に人がいるか否かを判断する。サーバ装置５の制御部５０は、対応するコンピュータ４の近傍に人がいると判断した場合、具体的には、着信側の携帯電話機１に対応して装置対応テーブル５３ａに登録されているコンピュータ４の人情報が「１」である場合、着信側の携帯電話機１に対応するコンピュータ４のコンピュータ識別情報を装置対応テーブル５３ａから読み出す。
【０１５４】
また、サーバ装置５の制御部５０は、発信側の携帯電話機１から着信側の携帯電話機１へ着信がある旨を通知する通知画面を表示させるための表示用データを生成し、装置対応テーブル５３ａから読み出したコンピュータ識別情報が示すコンピュータ４に、生成した表示用データを送信することにより、発信側の携帯電話機１から着信側の携帯電話機１へ着信がある旨を通知する。サーバ装置５から表示用データを受信したコンピュータ４の制御部４０は、ＨＤＤ４３に記憶してある通知画面表示処理プログラムをＲＡＭ４２に読み出して順次実行し、サーバ装置５から受信した表示用データに基づいて、図９に示すような通知画面を表示部４５に表示させる。
【０１５５】
一方、サーバ装置５の制御部５０は、着信側の携帯電話機１に対応するコンピュータ４の近傍に人がいないと判断した場合、具体的には、着信側の携帯電話機１に対応して装置対応テーブル５３ａに登録されているコンピュータ４の人情報が「０」である場合、発信側の携帯電話機１から着信側の携帯電話機１へ着信がある旨を通知する通知画面を表示させるための表示用データの生成処理及び送信処理を行なわない。
【０１５６】
上述した処理により、本実施形態５のＩＰ電話システム１００では、携帯電話機１への着信を通知すべき人がコンピュータ４の近傍に確実にいる場合にのみ、サーバ装置５が表示用データをコンピュータ４へ送信し、コンピュータ４が表示部４５に通知画面を表示させるので、携帯電話機１への着信をコンピュータ４の近傍にいる人に確実に通知することができる。一方、携帯電話機１への着信を通知すべき人がコンピュータ４の近傍に誰もいない場合には、サーバ装置５が表示用データをコンピュータ４へ送信しないので、不要な生成処理及び送信処理の実行を回避することができる。
【０１５７】
以下に、本実施形態５のＩＰ電話システム１００において、サーバ装置５が管理する装置対応テーブル５３ａの人情報の欄を更新する処理についてフローチャートに基づいて説明する。図１３はコンピュータ４の近傍における人の有無を示す人情報の更新処理の手順を示すフローチャートである。なお、以下の処理は、コンピュータ４のＲＯＭ４１又はＨＤＤ４３に記憶してある制御プログラムに従って制御部４０によって実行されると共に、サーバ装置５のＲＯＭ５１又はメモリ部５３に記憶してある制御プログラムに従って制御部５０によって実行される。
【０１５８】
コンピュータ４の制御部４０は、ＨＤＤ４３に記憶してある人検出処理プログラム４３ａをＲＡＭ４２に読み出して実行し、コンピュータ４の近傍に人がいない状態から人がいる状態に変化したこと、即ち人が近付いたことを検出したか否かを判断している（Ｓ６１）。人が近付いたことを検出したと判断した場合（Ｓ６１：ＹＥＳ）、制御部４０は、その検出結果をネットワークＬを介してサーバ装置５へ通知する（Ｓ６２）。
【０１５９】
サーバ装置５の制御部５０は、コンピュータ４に人が近付いたことを通知された場合、このコンピュータ４に対応する人情報の欄を「１」に変更することにより装置対応テーブル５３ａを更新し（Ｓ６３）、上述した処理を終了する。
【０１６０】
コンピュータ４の制御部４０は、人が近付いたことを検出していないと判断した場合（Ｓ６１：ＮＯ）、例えば、コンピュータ４の近傍に人がいる状態において、人がいなくなったことを検出したか否かを判断する（Ｓ６４）。人がいなくなったことを検出したと判断した場合（Ｓ６４：ＹＥＳ）、制御部４０は、その検出結果をネットワークＬを介してサーバ装置５へ通知する（Ｓ６５）。
【０１６１】
サーバ装置５の制御部５０は、コンピュータ４に人がいなくなったことを通知された場合、このコンピュータ４に対応する人情報の欄を「０」に変更することにより装置対応テーブル５３ａを更新し（Ｓ６６）、上述した処理を終了する。
【０１６２】
コンピュータ４の制御部４０は、コンピュータ４の近傍に人がいる状態において、人がいなくなったことを検出していないと判断した場合（Ｓ６４：ＮＯ）、ステップＳ６１へ処理を戻し、上述したステップＳ６１〜Ｓ６４の処理を繰り返す。
【０１６３】
以下に、上述した処理によってサーバ装置５が装置対応テーブル５３ａに基づいて各コンピュータ４の近傍における人の有無を管理しているＩＰ電話システム１００において、携帯電話機１への着信をコンピュータ４へ通知する処理についてフローチャートに基づいて説明する。図１４は携帯電話機１に対する着信のコンピュータ４への通知処理の手順を示すフローチャートである。
【０１６４】
なお、以下の処理は、呼制御サーバ３のＲＯＭ３１又はメモリ部３３に記憶してある制御プログラムに従って制御部３０によって実行され、サーバ装置５のＲＯＭ５１又はメモリ部５３に記憶してある制御プログラムに従って制御部５０によって実行されると共に、コンピュータ４のＲＯＭ４１又はＨＤＤ４３に記憶してある制御プログラムに従って制御部４０によって実行される。
【０１６５】
呼制御サーバ３の制御部３０は、ネットワークＬを介して受信したパケットに基づいて、いずれかの携帯電話機１に対する着信があるか否かを判断しており（Ｓ７１）、着信がない場合（Ｓ７１：ＮＯ）、着信があるまで待機する。着信があると判断した場合（Ｓ７１：ＹＥＳ）、制御部３０は、受信したパケットを解析し、発信側の携帯電話機１の電話番号と着信側の携帯電話機１の電話番号とを取得する（Ｓ７２）。
【０１６６】
呼制御サーバ３の制御部３０は、着信側の携帯電話機１へ、発信側の携帯電話機１からの着信があることを通知するパケットを送信することにより、着信がある旨を通知する（Ｓ７３）。同時に制御部３０は、発信側の携帯電話機１から着信側の携帯電話機１へ着信があることをサーバ装置５へ通知する（Ｓ７４）。
【０１６７】
サーバ装置５の制御部５０は、発信側の携帯電話機１から着信側の携帯電話機１へ着信があることを呼制御サーバ３から通知された場合、装置対応テーブル５３ａの登録内容に基づいて、着信側の携帯電話機１に対応するコンピュータ４の近傍に人がいるか否かを判断する（Ｓ７５）。対応するコンピュータ４の近傍に人がいないと判断した場合（Ｓ７５：ＮＯ）、サーバ装置５の制御部５０は、何も行なわずに処理を終了する。
【０１６８】
対応するコンピュータ４の近傍に人がいると判断した場合（Ｓ７５：ＹＥＳ）、サーバ装置５の制御部５０は、着信側の携帯電話機１に対応するコンピュータ４のコンピュータ識別情報を装置対応テーブル５３ａから読み出す（Ｓ７６）。サーバ装置５の制御部５０は、発信側の携帯電話機１から着信側の携帯電話機１へ着信がある旨を通知する通知画面を表示させるための表示用データを生成し、装置対応テーブル５３ａから読み出したコンピュータ識別情報が示すコンピュータ４へ送信する（Ｓ７７）。
【０１６９】
コンピュータ４の制御部４０は、サーバ装置５から上述した表示用データを受信した場合、ＨＤＤ４３に記憶してある通知画面表示処理プログラムをＲＡＭ４２に読み出して順次実行し、図９に示すような通知画面を表示部４５に表示させ（Ｓ７８）、上述した処理を終了する。
【０１７０】
上述した処理により、本実施形態５では、携帯電話機１に着信がある場合に、通常の処理によって着信側の携帯電話機１に着信を通知できると共に、着信側の携帯電話機１に対してまだ着信が通知されていない場合であっても、着信側の携帯電話機１に対応するコンピュータ４の近傍に人がいれば、その人にコンピュータ４に表示された通知画面を介して着信を通知することができる。なお、コンピュータ４に表示された通知画面を介して着信を通知されたユーザは、着信側の携帯電話機１の所有者に着信がある旨を教えてもよく、自身の携帯電話機１によって着信に対して応答してもよく、着信に対した確実に応答することができる。
【０１７１】
一方、本実施形態５では、携帯電話機１に着信がある場合であっても、この携帯電話機１に対応して予め登録されているコンピュータ４の近傍に誰もいない場合には、着信があることをコンピュータ４へ通知しないので、不要な通知処理を実行させず、サーバ装置５における処理負担を軽減することができる。
【０１７２】
また、本実施形態５では、コンピュータ４が自身の近傍における人の有無を検出する都度、サーバ装置５が管理する装置対応テーブル５３ａの内容を更新するので、コンピュータ４の近傍に人がいるか否かを示す最新の情報に基づいて、各携帯電話機１に対する着信がある旨をコンピュータ４へ通知するか否かを判断することができる。よって、コンピュータ４の近傍に確実に人がいる場合には、この人に対して確実に通知できると共に、コンピュータ４の近傍に確実に人がいない場合には、不要な通知処理を確実に禁止することができる。
【０１７３】
上述した本実施形態５では、実施形態１で説明したように、コンピュータ４が、自身の近傍において人がいない状態から人がいる状態に変化した場合、又は人がいる状態から人がいない状態に変化した場合に、所定の携帯電話機１に対して、無線ＡＰ２から送信されてくるビーコン信号の受信間隔を長い時間間隔に変更する指示、又は元の時間間隔に戻す指示を送信し、また、各検出結果をサーバ装置５へ通知する。
【０１７４】
しかし、例えば、ビーコン信号の受信間隔を長い時間間隔に変更する指示、又は元の時間間隔に戻す指示の送信処理をサーバ装置５に実行させてもよい。この場合、コンピュータ４は、自身の近傍において人がいない状態から人がいる状態に変化した場合、又は人がいる状態から人がいない状態に変化した場合に、その検出結果をサーバ装置５へ通知すればよく、サーバ装置５が、コンピュータ４から通知された検出結果に基づいて、装置対応テーブル５３ａの人情報の欄の内容を更新すると共に、対応する携帯電話機１に対して、ビーコン信号の受信間隔を長い時間間隔に変更する指示、又は元の時間間隔に戻す指示を送信する。
【０１７５】
なお、本実施形態５においても、実施形態３で説明したような変形例が可能である。具体的には、呼制御サーバ３が、いずれかの携帯電話機１に着信があった場合に発信側の携帯電話機１に対応するコンピュータ４及びこのコンピュータ４の近傍における人の有無をサーバ装置５へ問い合わせ、サーバ装置５は、装置対応テーブル５３ａの登録内容に基づいて、呼制御サーバ３からの問い合わせに対応するコンピュータ４及びこのコンピュータ４の近傍における人の有無を呼制御サーバ３へ通知する。そして、呼制御サーバ３が、通知された情報に基づいて、コンピュータ４の近傍に人がいるか否かを判断し、いる場合にのみ、通知されたコンピュータ４に、発信側の携帯電話機１から着信側の携帯電話機１へ着信がある旨を通知してもよい。
【０１７６】
また、サーバ装置５が行なっていた処理を呼制御サーバ３が全て行なってもよく、他の通信装置を更にネットワークＬに接続し、呼制御サーバ３及びサーバ装置５がそれぞれ行なっていた処理を呼制御サーバ３、サーバ装置５及び他の通信装置によって分散させて行なってもよい。
【０１７７】
上述したように、実施形態１，２では、携帯電話機１が待ち受け状態である場合に、各携帯電話機１，１…に対応して予め登録されているコンピュータ４の近傍に人がいる場合、携帯電話機１のビーコン信号の受信間隔を、無線ＡＰ２に記憶されているＤＴＩＭ情報に従った間隔よりも長い間隔に変更することにより、携帯電話機１における消費電力を低減させることができる。また、コンピュータ４の近傍に人がいない場合、携帯電話機１のビーコン信号の受信間隔を、無線ＡＰ２に記憶されているＤＴＩＭ情報に従った間隔に戻すことにより、着信に対するレスポンスの悪化を抑制することができる。
【０１７８】
また、実施形態３〜５では、各携帯電話機１，１…への着信があった場合に、各携帯電話機１，１…に対応して予め登録されているコンピュータ４に、着信がある旨を通知することにより、携帯電話機１のビーコン信号の受信間隔が長い間隔に設定されており、携帯電話機１への着信の通知に時間を要する場合であっても、コンピュータ４を介して着信がある旨を通知することができ、着信に対して確実に応答することができる。
【０１７９】
上述した実施形態１〜５における携帯電話機１，１…は、着信に対して応答し、他の携帯電話機１，１…との間で通話を行なっている間は、無線ＡＰ２のビーコン信号を、無線ＡＰ２がビーコン信号を送信するタイミングで順次受信しているが、通話終了後は、例えば、着信前にＤＴＩＭ情報に従った間隔でビーコン信号を受信していた場合には、ＤＴＩＭ情報に従った間隔でのビーコン信号の受信処理を再開し、着信前にＤＴＩＭ情報に従った間隔よりも長い間隔でビーコン信号を受信していた場合には、この長い間隔でのビーコン信号の受信処理を再開すればよい。これにより、着信前に消費電力の低減が優先されていた場合には、着信後も消費電力の低減を優先した動作を継続し、着信前にレスポンスが優先されていた場合には、着信後もレスポンスを優先した動作を継続することができる。
【０１８０】
なお、無線ＡＰ２，２…は、自身を識別するためのＥＳＳ−ＩＤをビーコン信号に含めて送信しており、携帯電話機１，１…は、無線ＡＰ２から受信したビーコン信号中のＥＳＳ−ＩＤに基づいて、最寄りの無線ＡＰ２を検出することができる。従って、携帯電話機１，１…は、順次受信するビーコン信号中のＥＳＳ−ＩＤが変化したことによって、異なる無線ＡＰ２のエリア内に移動したことを検出することができる。
【０１８１】
携帯電話機１，１…は、異なる無線ＡＰ２のエリア内に移動したことを検出した場合、この時点でＤＴＩＭ情報に従った間隔よりも長い間隔でビーコン信号を受信していれば、メモリ部１３に記憶してある時間間隔を一旦消去し、移動したエリアの無線ＡＰ２が記憶するＤＴＩＭ情報に従った間隔でのビーコン信号の受信処理を開始する。これにより、携帯電話機１，１…は着信に対するレスポンスを優先した動作を行なうことができる。なお、携帯電話機１，１…がＤＴＩＭ情報に従った間隔でのビーコン信号の受信処理を開始した場合であっても、所定のコンピュータ４の近傍に人がいれば、コンピュータ４からの指示に従って、ＤＴＩＭ情報に従った間隔よりも長い間隔でのビーコン信号の受信処理が再度開始されるので、消費電力の低減を優先した動作が開始される。
【０１８２】
また、携帯電話機１，１…において、ＤＴＩＭ情報に従った間隔よりも長い間隔でのビーコン信号の受信処理を行なっている場合にメモリ部１３に記憶される時間間隔（長い間隔）は、揮発性のメモリに記憶されていてもよい。この場合、携帯電話機１，１…の電源がオフされた場合に、メモリに記憶された時間間隔が消滅し、ＤＴＩＭ情報に従った間隔よりも長い間隔でのビーコン信号の受信処理が一旦リセットされる。そして、電源がオンされた場合、その時点での最寄りの無線ＡＰ２からのビーコン信号のＤＴＩＭ情報に従った間隔でのビーコン信号の受信処理を開始すればよい。
【０１８３】
（付記１）
通信に係る情報を送信する送信装置と、該送信装置から送信されてくる前記情報を所定の時間間隔で受信する電話装置とを備えた通信システムにおいて、
前記送信装置を介して前記電話装置と通信が可能な通信装置を備え、
該通信装置は、
自身の近傍における人の有無を検出する人検出手段と、
該人検出手段によって人がいることが検出された場合、前記送信装置から送信されてくる情報の受信間隔を前記所定の時間間隔よりも長い間隔に変更させる指示を前記送信装置を介して前記電話装置へ送信する手段と、
前記人検出手段によって人がいないことが検出された場合、前記送信装置から送信されてくる情報の受信間隔を前記所定の時間間隔に戻す指示を前記送信装置を介して前記電話装置へ送信する手段とを備え、
前記電話装置は、
前記所定の時間間隔よりも長い間隔に変更させる指示を受信した場合、前記送信装置から送信されてくる情報の受信間隔を前記長い間隔に変更する手段と、
前記所定の時間間隔に戻す指示を受信した場合、前記送信装置から送信されてくる情報の受信間隔を前記所定の時間間隔に戻す手段とを備えることを特徴とする通信システム。
【０１８４】
（付記２）
通信に係る情報を送信する送信装置と、該送信装置から送信されてくる前記情報を所定の時間間隔で受信する電話装置とを備えた通信システムにおいて、
前記送信装置を介して前記電話装置と通信が可能な中継装置と、
該中継装置と通信が可能な通信装置とを備え、
該通信装置は、
自身の近傍における人の有無を検出する人検出手段と、
該人検出手段による検出結果を前記中継装置へ通知する手段とを備え、
前記中継装置は、
前記通信装置から人がいることを通知された場合、前記送信装置から送信されてくる情報の受信間隔を前記所定の時間間隔よりも長い間隔に変更させる指示を前記送信装置を介して前記電話装置へ送信する手段と、
前記通信装置から人がいないことを通知された場合、前記送信装置から送信されてくる情報の受信間隔を前記所定の時間間隔に戻す指示を前記送信装置を介して前記電話装置へ送信する手段とを備え、
前記電話装置は、
前記所定の時間間隔よりも長い間隔に変更させる指示を受信した場合、前記送信装置から送信されてくる情報の受信間隔を前記長い間隔に変更する手段と、
前記所定の時間間隔に戻す指示を受信した場合、前記送信装置から送信されてくる情報の受信間隔を前記所定の時間間隔に戻す手段とを備えることを特徴とする通信システム。
【０１８５】
（付記３）
前記中継装置は、
電話装置を識別する電話装置情報及び各電話装置に対して予め設定された通信装置を識別する通信装置情報を対応付けて登録してあるテーブルと、
いずれかの電話装置に対する着信を検知する検知手段と、
該検知手段が着信を検知した場合、着信側の電話装置を検出する検出手段と、
該検出手段が検出した着信側の電話装置に対応する通信装置情報を前記テーブルから取得する取得手段と、
該取得手段が取得した通信装置情報が示す通信装置へ、前記着信側の電話装置に対する着信がある旨を通知する通知手段とを備え、
前記通信装置は、前記着信側の電話装置に対する着信がある旨を通知された場合、その旨を出力する手段を備えることを特徴とする付記１又は２に記載の通信システム。
【０１８６】
（付記４）
前記通信装置の人検出手段は、前記着信側の電話装置に対する着信がある旨を通知された場合、自身の近傍における人の有無を検出するように構成されており、
前記通信装置は、前記人検出手段によって人がいることが検出された場合、前記着信側の電話装置に対する着信がある旨を出力するように構成されていることを特徴とする付記３に記載の通信システム。
【０１８７】
（付記５）
前記中継装置は、
電話装置を識別する電話装置情報、各電話装置に対して予め設定された通信装置を識別する通信装置情報、及び該通信装置の近傍における人の有無を示す人情報を対応付けて登録してあるテーブルと、
いずれかの電話装置に対する着信を検知する検知手段と、
該検知手段が着信を検知した場合、着信側の電話装置を検出する検出手段と、
該検出手段が検出した着信側の電話装置に対応して前記テーブルに登録してある人情報に基づいて、前記着信側の電話装置に対応する通信装置の近傍に人がいるか否かを判断する手段と、
前記通信装置の近傍に人がいると判断した場合、前記着信側の電話装置に対応する通信装置情報を前記テーブルから取得する取得手段と、
該取得手段が取得した通信装置情報が示す通信装置へ、前記着信側の電話装置に対する着信がある旨を通知する通知手段とを備え、
前記通信装置は、前記着信側の電話装置に対する着信がある旨を通知された場合、その旨を出力する手段を備えることを特徴とする付記１又は２に記載の通信システム。
【０１８８】
（付記６）
前記通信装置の人検出手段による検出結果に基づいて、前記テーブルに登録してある人情報を更新する手段を備えることを特徴とする付記５に記載の通信システム。
【０１８９】
（付記７）
前記テーブル、前記検知手段、前記検出手段、前記取得手段及び前記通知手段を有する通知装置を備えることを特徴とする付記３乃至６のいずれかひとつに記載の通信システム。
【０１９０】
（付記８）
前記電話装置は、
送信装置から送信されてくる情報の受信指示を受け付ける手段と、
前記受信指示を受け付けた時点で前記情報を受信する手段と
を備えることを特徴とする付記１乃至７のいずれかひとつに記載の通信システム。
【０１９１】
（付記９）
外部の装置と通信が可能な通信装置において、
自身の近傍における人の有無を検出する人検出手段と、
該人検出手段によって人がいることが検出された場合、外部から送信されてくる情報の受信間隔を第１時間間隔に設定させる指示を外部へ送信する手段と、
前記人検出手段によって人がいないことが検出された場合、外部から送信されてくる情報の受信間隔を前記第１時間間隔よりも短い第２時間間隔に設定させる指示を外部へ送信する手段と
を備えることを特徴とする通信装置。
【０１９２】
（付記１０）
外部の装置と通信が可能な通信装置において、
自身の近傍における人の有無を検出する人検出手段と、
該人検出手段によって人がいることが検出された場合、外部から送信されてくる情報の受信間隔を第１時間間隔に設定させる指示の送信要求を外部へ送信する手段と、
前記人検出手段によって人がいないことが検出された場合、外部から送信されてくる情報の受信間隔を前記第１時間間隔よりも短い第２時間間隔に設定させる指示の送信要求を外部へ送信する手段と
を備えることを特徴とする通信装置。
【０１９３】
（付記１１）
所定の電話装置に対する着信がある旨の通知を受け付ける手段と、
前記通知を受け付けた場合、前記電話装置に対する着信がある旨を出力する手段と
を備えることを特徴とする付記９又は１０に記載の通信装置。
【０１９４】
（付記１２）
前記人検出手段は、前記通知を受け付けた場合、自身の近傍における人の有無を検出するように構成されており、
前記人検出手段によって人がいることが検出された場合、前記電話装置に対する着信がある旨を出力するように構成されていることを特徴とする付記１１に記載の通信装置。
【０１９５】
（付記１３）
通信に係る情報を送信する送信装置から送信されてくる前記情報を所定の時間間隔で受信する電話装置において、
前記情報の受信指示を受け付ける手段と、
前記受信指示を受け付けた時点で前記情報を受信する手段と
を備えることを特徴とする電話装置。
【０１９６】
（付記１４）
コンピュータに、外部の装置と通信させるためのコンピュータプログラムにおいて、
コンピュータに、
自身の近傍に人がいる場合、外部から送信されてくる情報の受信間隔を第１時間間隔に設定させる指示を外部へ送信するステップと、
自身の近傍に人がいない場合、外部から送信されてくる情報の受信間隔を前記第１時間間隔よりも短い第２時間間隔に設定させる指示を外部へ送信するステップと
を実行させるためのコンピュータプログラム。
【０１９７】
（付記１５）
コンピュータに、外部の装置と通信させるためのコンピュータプログラムにおいて、
コンピュータに、
自身の近傍に人がいる場合、外部から送信されてくる情報の受信間隔を第１時間間隔に設定させる指示の送信要求を外部へ送信するステップと、
自身の近傍に人がいない場合、外部から送信されてくる情報の受信間隔を前記第１時間間隔よりも短い第２時間間隔に設定させる指示の送信要求を外部へ送信するステップと
を実行させるためのコンピュータプログラム。
【図面の簡単な説明】
【０１９８】
【図１】実施形態１に係るＩＰ電話システムの構成例を示す模式図である。
【図２】実施形態１に係る携帯電話機の構成例を示すブロック図である。
【図３】実施形態１に係る呼制御サーバ及びコンピュータの構成例を示すブロック図である。
【図４】携帯電話機によるビーコン信号の受信間隔の変更処理の手順を示すフローチャートである。
【図５】実施形態２に係るＩＰ電話システムの構成例を示す模式図である。
【図６】実施形態２に係るサーバ装置の構成例を示すブロック図である。
【図７】装置対応テーブルの登録内容を示す模式図である。
【図８】携帯電話機によるビーコン信号の受信間隔の変更処理の手順を示すフローチャートである。
【図９】通知画面の構成例を示す模式図である。
【図１０】携帯電話機に対する着信のコンピュータへの通知処理の手順を示すフローチャートである。
【図１１】携帯電話機に対する着信のコンピュータへの通知処理の手順を示すフローチャートである。
【図１２】装置対応テーブルの登録内容を示す模式図である。
【図１３】コンピュータの近傍における人の有無を示す人情報の更新処理の手順を示すフローチャートである。
【図１４】携帯電話機に対する着信のコンピュータへの通知処理の手順を示すフローチャートである。
【符号の説明】
【０１９９】
１００  ＩＰ電話システム（通信システム）
１  携帯電話機（電話装置）
２  無線ＡＰ（送信装置）
３  呼制御サーバ
３０  制御部（検知手段、検出手段）
４  コンピュータ（通信装置）
４０  制御部（人検出手段）
５  サーバ装置（中継装置、通知装置）
５０  制御部（取得手段、通知手段）
５３  メモリ部
５３ａ  装置対応テーブル
【図１】
0005141181.tif 000002
【図２】
0005141181.tif 000003
【図３】
0005141181.tif 000004
【図４】
0005141181.tif 000005
【図５】
0005141181.tif 000006
【図６】
0005141181.tif 000007
【図７】
0005141181.tif 000008
【図８】
0005141181.tif 000009
【図９】
0005141181.tif 000010
【図１０】
0005141181.tif 000011
【図１１】
0005141181.tif 000012
【図１２】
0005141181.tif 000013
【図１３】
0005141181.tif 000014
【図１４】
0005141181.tif 000015